(57)【要約】  一体型測定ピペットは、長手方向に離隔させられた突出した周方向当たり確認特徴のサイズ減少、排除および／または変向と共に、管状本体の外面におけるこのような当たり確認特徴と目盛付き体積マークとの干渉を軽減または回避するために、二軸配向された熱可塑性材料の管状本体を有する。一体型測定ピペットの真空成形のための方法および装置も提供される。１５０μｍ以下、１０〜１００μｍの範囲、１０〜５０μｍの範囲またはその部分範囲の最大幅を有する通気性の開口または気孔が、型ブランクによって収容されたフェースプレートまたはインサート、または協働する型本体の成形面に設けられていてもよく、減じられた高さの当たり確認特徴を有する管状ピペット本体を製造するために使用されてもよい。協働する各型本体は、それらにかつ／またはそれらの間に設けられたガス通路を備える複数の型本体セクションから製造されてもよい。
2021504124.tif 000002
【特許請求の範囲】
【請求項１】
ピペットであって、
先端と吸口との間に配置されておりかつ前記先端と前記吸口との間に延びる長手方向軸線を有する管状本体を有し、
前記管状本体は、二軸配向された熱可塑性材料を含み、
前記管状本体は、０．５ｍｍ以下の公称厚さを有し、
前記管状本体の外面から突出しておりかつ前記長手方向軸線に対して非平行な最大長さ方向寸法を有する選択的に存在するあらゆる当たり確認特徴が、約０．０２ｍｍ以下の最大高さを有する、
ピペット。
【請求項２】
前記管状本体の前記公称厚さは、約０．３５ｍｍ以下である、請求項１記載のピペット。
【請求項３】
前記ピペットは、前記管状本体の前記外面から突出する当たり確認特徴を有さない、請求項１または２記載のピペット。
【請求項４】
前記管状本体の前記外面から突出しておりかつ前記長手方向軸線に対して非平行な最大長さ方向寸法を有する選択的に存在するあらゆる当たり確認特徴は、約０．０１ｍｍ以下の高さを有する、請求項１または２記載のピペット。
【請求項５】
前記管状本体の前記外面は、前記管状本体の内部の部分の体積容量に対応する複数の目盛付きマークを有する、請求項１から４までのいずれか１項記載のピペット。
【請求項６】
ピペットの中空管状本体を真空成形するための装置であって、該装置は、
少なくとも１つの第１の真空チャネルおよび少なくとも１つの第１の凹所を有する第１の型ブランクと、
少なくとも１つの第２の真空チャネルおよび少なくとも１つの第２の凹所を有する第２の型ブランクと、
前記少なくとも１つの第１の凹所によって収容され、前記少なくとも１つの第１の真空チャネルと流体連通した複数の通気性の第１の開口または気孔を有する半円筒状の第１の成形面を有する、第１のフェースプレートまたはインサートと、
前記少なくとも１つの第２の凹所によって収容され、前記少なくとも１つの第２の真空チャネルと流体連通した複数の通気性の第２の開口または気孔を有する半円筒状の第２の成形面を有する、第２のフェースプレートまたはインサートと、
を有し、
前記複数の通気性の第１の開口または気孔および前記複数の通気性の第２の開口または気孔の各開口または気孔は、１５０μｍ以下の最大幅または直径を有する、
装置。
【請求項７】
前記複数の通気性の第１の開口または気孔および前記複数の通気性の第２の開口または気孔の各開口または気孔は、１０μｍ〜１００μｍの範囲の最大幅または直径を有する、請求項６記載の装置。
【請求項８】
前記第１のフェースプレートまたはインサートおよび前記第２のフェースプレートまたはインサートは、焼結された多孔質材料を含み、
前記半円筒状の第１の成形面は、複数の通気性の第１の気孔を有し、
前記半円筒状の第２の成形面は、複数の通気性の第２の気孔を有する、請求項６または７記載の装置。
【請求項９】
前記第１のフェースプレートまたはインサートおよび前記第２のフェースプレートまたはインサートは、非多孔質材料を含み、
前記半円筒状の第１の成形面は、複数の通気性の第１の開口を有し、該複数の通気性の第１の開口は、前記第１のフェースプレートまたはインサートの厚さ全体を貫通して延びており、
前記半円筒状の第２の成形面は、複数の通気性の第２の開口を有し、該複数の通気性の第２の開口は、前記第２のフェースプレートまたはインサートの厚さ全体を貫通して延びている、請求項６または７記載の装置。
【請求項１０】
前記複数の通気性の第１の開口および前記複数の通気性の第２の開口の各開口は、１５０μｍ以下の最大幅と、該最大幅の少なくとも１０倍の最大長さとを有する、請求項９記載の装置。
【発明の詳細な説明】
【関連出願】
【０００１】
本願は、２０１７年１１月３０日に出願された米国特許仮出願第６２／５９２９５９号明細書の米国特許法第１２０条による優先権の利益を主張し、その内容は、参照によりその全体が依拠されかつ本明細書に援用される。
【技術分野】
【０００２】
本開示は、概して、一体型測定ピペットおよび例えば、真空成形によって、一体型測定ピペットを成形するための方法および装置に関する。
【背景技術】
【０００３】
ピペットは、通常は両端部に開口を有しかつ測定された量の液体を排出するように設計された公知の管状の装置である。ピペットは、流体の正確な測定および排出が要求される多くの産業、特に、医学的および実験室試験および分析分野において広く使用されてきた。測定ピペットは、一般的に、一方のテーパした端部を備える直線的なガラスまたはプラスチックチューブを構成しており、同一のピペットによって様々な量の液体を測定することができるように小さく区分けして目盛付けされている。測定ピペットは、モールピペット（先端付近においてテーパが開始する前に終了した目盛マークを有する）および血清学ピペット（先端付近のテーパした領域まで続く目盛マークを有する）を含む。
【０００４】
（ｉ）吸口および先端構成部材を中空チューブに溶接する、（ｉｉ）厚いチューブを再加熱した後、一方または両方の端部においてピペットを延伸およびトリミングし、先端および吸口を成形する、（ｉｉｉ）真空成形およびブロー成形を含む、差圧を加えることによる成形、を含む、ピペットを製造するための多くの異なる方法が存在する。これらの各方法は、コスト、品質および／または性能に関するトレードオフを伴う。方法（ｉ）は、溶接継目の形成を生じる。溶接継目は、提供されたピペットに望ましくない残留物および粒子を生じることがあり、突出部または隆起部を生じることもある。突出部または隆起部は、ピペット内に流体および汚染物質を蓄積させることがある。方法（ｉｉ）は、先端および吸口の開口および品質における大きなばらつきを伴う。方法（ｉｉｉ）は、溶接継目を生じることなく高品質のピペットを再現可能に製造することができるが、このような方法は、一般的に、管状のピペット本体の外面に沿って、長手方向に離隔させられた、突出した周方向リング形状またはリブ（すなわち、ガス抜き通路内への軟化した材料の進入によって生じる当たり確認特徴）の形成を生じ、このようなリング状の当たり確認特徴は、本体の外側に印刷される目盛マークの明瞭さおよび読み取りやすさを分かりにくくする傾向がある。
【０００５】
ピペットを成形するために、方法（ｉｉｉ）による差圧を加えることによって成形する例は、コーニング社へ譲渡されかつここで参照により本明細書に援用される “Unitary Serological Pipette and Methods of Producing the Same”という発明の名称の特許文献１に開示されている。このような方法に従って製造されてもよい典型的なピペット１０が図１Ａに示されており、ピペット１０は、入口領域１２と、本体領域１４と、先端領域１６とを有し、前記領域の拡大した部分がそれぞれ図１Ｂ〜図１Ｄに示されている（図１Ａ〜図１Ｄは、特許文献１に添付された図に対応する）。入口領域１２、本体領域１４および先端領域１６のそれぞれは、対応する壁厚（すなわち、入口厚さ２２、本体厚さ２４および先端厚さ２６）と、対応する直径（すなわち、入口直径３２、本体直径３４および先端直径３６）とを有してもよい。図１Ｂ〜図１Ｄは、また、空間１８を包囲した内側湾曲面１１を有するピペット１０を示している。図１Ａを参照すると、ピペット１０は、長手方向軸線に沿って整列させられた入口１３および先端１５を有し、さらに、入口１３付近にフィルタ１９を有してもよい。選択的に、ピペット１０は、入口領域１２と本体領域１４との間の入口−本体移行領域２０と、本体領域１４と先端領域１６との間の本体−先端移行領域２１とを有してもよい。ある実施態様において、流体および／または粒子状材料の残留を低減するために、移行領域２０，２１には実質的に滑らかな内面３１が設けられている。ピペット１０は、ピペット１０内の空間１８に含まれた液体の体積を示すために（少なくとも）本体領域１４の外面３０に沿って印刷（またはインプリント）された一連の目盛付き体積マーク１７を有してもよい。ピペット１０は、特定の体積（例えば、１ｍＬ（１ｃｍ３）、２ｍＬ（２ｃｍ３）、５ｍＬ（５ｃｍ３）、１０ｍＬ（１０ｃｍ３）、２５ｍＬ（２５ｃｍ３）、５０ｍＬ（５０ｃｍ３）、１００ｍＬ（１００ｃｍ３）または別の所望の体積）の液体を保持するようにサイズ決めされていてもよい。ピペット１０は、ガラスまたはポリマー（例えば、ポリスチレン、ポリエチレンまたはポリプロピレン）などのあらゆる適切な材料から製造されてもよい。
【０００６】
選択的に、入口厚さ２２、先端厚さ２６、または入口厚さ２２および先端厚さ２６の両方は、本体厚さ２４と同じであってもよい。ある実施態様において、入口厚さ２２、先端厚さ２６および本体厚さ２４のうちの１つ、幾つかまたは全ては、０．２５ｍｍ〜２．５ｍｍ、０．４ｍｍ〜１．５ｍｍまたは０．６ｍｍ〜１．０ｍｍの範囲にあってもよい。開口および先端領域１２，１６における厚さの増大は、これらの領域を使用中の損傷または破壊に対してより耐久性があるものにすることなどによって、ある利点を提供することがある。入口、本体および先端の直径３２，３４，３６はそれぞれ、外側において（例えば、ピペット１０の外面における互いに反対側の点の間において）測定されてもよい。選択的に、本体直径３４は、入口直径３２または先端直径３６より大きくてもよい。特定の本体直径３４は、ピペット１０が保持するようにサイズ決めされた液体の体積に依存してもよい。ある実施形態において、本体直径は、約４．０ｍｍ〜約２５．０ｍｍの範囲にあってもよい。
【０００７】
差圧を加えながら成形することによるピペット１０の製造は、加熱されたパリソン（例えば、一般的には中空円筒体の形状のチューブまたはプリフォーム）を型内に供給し、パリソンの内側と外側との間に差圧を生じさせ、パリソンを膨張させ、型のキャビティに合致させることを含んでもよい。この差圧は、パリソンの内部に加圧ガス（例えば、０．０５〜１．５ＭＰａの圧縮空気）を供給することによってまたは型のキャビティを画定した面に沿って大気圧未満の圧力条件（例えば、０．０１〜０．０９ＭＰａの圧力における真空条件としても知られる）を生じさせることによって形成されてもよい。いずれのケースも、加熱されたパリソンの膨張を可能にするため、パリソンの外側とキャビティとの間のガスが逃げることができるように、型の表面における通路の存在を必要とする。一般的に、成形作業中にガス逃出し通路として働くための周方向チャネルが、型の湾曲面（例えば、対応する型半部）に形成される。（既にピペットとして構成された）膨張した材料の十分な冷却後、型が開放され、ピペットが排出され、型は、このプロセスを繰り返すために別の加熱されたパリソンを受け入れてもよい。差圧を加えながら成形することによってピペットを成形することは、成形プロセス中の材料の二軸膨張により、ピペットの強度および靭性を高めることがある。
【０００８】
図２Ａは、湾曲した成形面４２を有する型半部４０の平面図であり、湾曲した成形面４２は複数の凹んだチャネル４３を有し、これらの凹んだチャネル４３はガス逃げポート４４と流体連通している。各凹んだチャネル４３は、一般的に、少なくとも約０．３ｍｍの幅および深さ寸法を有する。各凹んだチャネル４３は、ほぼ湾曲した内面４２に沿って延びる複数の横方向凹みチャネルセグメント４５を有してもよく、横方向凹みチャネルセグメント４５は、湾曲した成形面４２の範囲を画定しない長手方向チャネル４６によって接続されている。複数の横方向凹みチャネルセグメント４５および長手方向チャネル４６は、１つのガス逃げポート４４と関連させられていてもよい。型半部４０は、型の内部を包囲するように別の型半部（図示せず）の接合面と当接することが意図された接合面４７を有し、湾曲した成形面４２は、加熱されたパリソンに差圧を加えたときにこの加熱されたパリソンの膨張を閉じ込めるように配置されている。型半部４０の設計と同じ２つの型半部の接合により、各型半部４０の横方向凹みチャネルセグメント４５は、チャネルまたは溝を形成するように互いに位置合わせさせられてもよい。図２Ｂは、図２Ａの型半部の断面図であり、湾曲した成形面４２と、接合面４７と、ガス逃げポート４４とを示している。
【０００９】
湾曲した内面に沿って（例えば、少なくとも約０．２〜０．３ｍｍの幅および深さ寸法の）位置合わせさせられた横方向凹みチャネルセグメントを有する型半部を用いる上述の方法を用いたピペットの製造後、提供されたピペットは、管状ピペット本体の外面に沿って、長手方向に離隔させられた、突出した周方向リング（すなわち、周方向当たり確認特徴）を有する。図３は、管状本体領域１４の外面２９から外方へ突出した、長手方向に離隔させられた複数の突出した周方向リング２８（すなわち、周方向当たり確認特徴２８)を備える管状本体領域１４を含むピペット１０の中央部分を示している。管状本体領域１４は、外面２９に印刷（またはインプリント）された目盛付き体積マーク１７も有する。図示したように、少なくとも幾つかの体積マーク１７は周方向当たり確認特徴２８と重なり合っており、これは、目盛付き体積マーク１７の印刷を妨げることがありかつ使用者が目盛付き体積マーク１７を用いて流体体積を迅速かつ正確に読み取ることを誤らせることもある。
【先行技術文献】
【特許文献】
【００１０】
【特許文献１】国際公開第２０１７／０９１５４０号
【発明の概要】
【発明が解決しようとする課題】
【００１１】
前記のことを考えると、前記欠点を有さないピペットおよびピペットを製造するための改良された方法および装置が必要となる。
【課題を解決するための手段】
【００１２】
本願において、一体型測定ピペット（例えば、血清学ピペット）および真空成形によって一体型測定ピペットを成形するための方法および装置が提供される。ピペットの中空管状本体を真空成形するための第１の装置の型ブランクと協働するフェースプレートまたはインサートへの、１５０μｍ以下（または１０〜１００μｍの範囲または１０〜５０μｍの範囲）の最大幅または直径を有する通気性の開口または気孔の提供は、長手方向軸線に対して非平行でありかつ管状本体の外面から突出した特徴の高さ減少または排除を伴う管状ピペット本体の成形を可能にする。同様に、ピペットの中空管状本体を真空成形するための第２の装置の第１および第２の型本体の半円筒状の成形面を貫通して延びる、１５０μｍ以下（または１０〜１００μｍの範囲、または１０〜５０μｍの範囲）の最大幅を有する真空通路の提供は、当たり確認特徴の高さが減じられた管状ピペット本体の成形を可能にする。本明細書に開示された装置を用いて真空成形などの方法によって製造可能なピペットは、０．５ｍｍ以下の公称厚さを有する二軸配向された熱可塑性材料の管状本体を有してもよく、管状本体の長手方向軸線に対して非平行な方向に管状本体の外面から突出した選択的に存在するあらゆる当たり確認特徴は、減じられた高さ（例えば、約０．０２ｍｍ（２００μｍ）以下または約０．０１ｍｍ（１００μｍ）以下の最大高さ）を有する。ピペットの先端と吸口との間に延びる長手方向軸線を有するピペットは、二軸配向された熱可塑性材料の本体と、互いに半径方向に離隔させられた少なくとも３つの当たり確認特徴とを有することがあり、各当たり確認特徴は、長手方向軸線に対して実質的に平行な最大長さ方向寸法を有する。二軸配向される熱可塑性樹脂を用いた（例えば、真空成形による）ピペットの成形により、ピペット本体の壁厚が減じられる。同時に、突出した周方向当たり確認特徴の減少、排除および／または変向は、このような当たり確認特徴と、ピペット本体の外面に印刷された目盛付き体積マークとの干渉を軽減または回避することがある。
【００１３】
本開示のある態様によれば、先端と吸口との間に配置された管状本体を有しかつ先端と吸口との間に延びる長手方向軸線を有するピペットが提供される。管状本体は、二軸配向された熱可塑性材料および０．５ｍｍ以下の公称厚さを有する。加えて、管状本体の外面から突出しておりかつ長手方向軸線に対して非平行な最大長さ方向寸法を有する選択的に存在する当たり確認特徴は、約０．０２ｍｍ以下の高さを有する。ある実施形態において、管状本体は、長手方向軸線に対して非平行な最大長さ方向寸法を有する当たり確認特徴を有さないことがある。
【００１４】
本開示の付加的な態様によれば、先端と吸口との間に配置されておりかつ先端と吸口との間に延びる長手方向軸線を有する管状本体を有有するピペットが提供される。ピペットは、付加的に、管状本体の外面から突出した少なくとも３つの当たり確認特徴を有し、少なくとも３つの当たり確認特徴の各当たり確認特徴は、長手方向軸線に対して実質的に平行な最大長さ方向寸法を有し、少なくとも３つの当たり確認特徴の他の各当たり確認特徴から半径方向に離隔させられている。管状本体は、二軸配向された熱可塑性材料をさらに含む。選択的に、管状本体は、約０．５ｍｍ以下の公称厚さを有してもよい。
【００１５】
本開示の付加的な態様によれば、ピペットの中空管状本体を真空成形するための装置が提供される。装置は、少なくとも１つの第１の真空チャネルおよび少なくとも１つの第１の凹所を有する第１の型ブランクと、少なくとも１つの第２の真空チャネルおよび少なくとも１つの第２の凹所を有する第２の型ブランクとを含む。装置は、少なくとも１つの第１の凹所に収容され、少なくとも１つの第１の真空チャネルと流体連通した複数の通気性の第１の開口または気孔を有する半円筒状の第１の成形面を有する、第１のフェースプレートまたはインサートをさらに含む。装置は、加えて、少なくとも１つの第２の凹所に収容され、少なくとも１つの第２の真空チャネルと流体連通した複数の通気性の第２の開口または気孔を有する半円筒状の第２の成形面を有する、第２のフェースプレートまたはインサートをさらに含む。複数の通気性の第１の開口または気孔および複数の通気性の第２の開口または気孔の各開口または気孔は、１５０μｍ以下の最大幅または直径を有する。
【００１６】
本開示の付加的な態様によれば、ピペットの中空管状本体を真空成形するための装置が提供される。装置は、半円筒状の第１の成形面と、半円筒状の第１の成形面を貫通して延びる複数の第１の真空通路とを有する複数の第１の型本体セクションを含む第１の型本体を含み、複数の第１の型本体セクションの各第１の型本体セクションは、複数の第１の型本体セクションの隣接する少なくとも１つの他の第１の型本体セクションと接触して配置されており、各第１の型本体セクションの一部は、複数の第１の真空通路のうちの異なる第１の真空通路によって、隣接する少なくとも１つの他の第１の型本体セクションから分離されている。装置は、加えて、半円筒状の第２の成形面と、半円筒状の第２の成形面を貫通して延びる複数の第２の真空通路とを有する複数の第２の型本体セクションを含む第２の型本体を含み、複数の第２の型本体セクションの各第２の型本体セクションは、複数の第２の型本体セクションの隣接する少なくとも１つの他の第２の型本体セクションと接触して配置されており、各第２の型本体セクションの一部は、複数の第２の真空通路のうちの異なる第２の真空通路によって、隣接する少なくとも１つの他の第２の型本体セクションから分離されている。複数の第１の真空通路の各第１の真空通路および複数の第２の真空通路の各第２の真空通路は、１５０μｍ以下の最大幅（または選択的に、１０〜１００μｍの範囲、または１０〜５０μｍの範囲の最大幅）を有する。
【００１７】
本開示の付加的な態様によれば、前の２つの段落において説明された装置を用いてピペットを製造する方法が提供される。このような方法は、半円筒状の第１の成形面と半円筒状の第２の成形面とによって画定された型内に、長手方向軸線と、空間を包囲する湾曲した内面とを有するパリソンまたはプリフォームを挿入するステップを含む。方法は、複数の第１の真空通路および複数の第２の真空通路に大気圧未満の圧力を加え、半円筒状の第１および第２の成形面に合致するようにパリソンまたはプリフォームを真空成形し、これにより、ピペットの中空管状本体を製造するステップをさらに含む。
【００１８】
本開示の対象の付加的な特徴および利点は、以下の詳細な説明に示されるが、一部は、その説明から当業者に容易に明らかになるか、または以下の詳細な説明、請求項および添付の図面を含む本明細書に説明されている本開示の対象を実施することによって認識されるであろう。
【００１９】
前記の概略的な説明および以下の詳細な説明の両方は、本開示の対象の実施形態を示しており、請求項に記載された本開示の対象の性質および特性を理解するための概略または枠組みを提供することが意図されていることが理解されるべきである。添付の図面は、本開示の対象のさらなる理解を提供するために添付されており、本明細書の一部に組み込まれておりかつ本明細書の一部を構成する。図面は、本開示の対象の様々な実施形態を示しており、説明と共に、本開示の対象の原理および作用を説明するために役立つ。
【図面の簡単な説明】
【００２０】
以下は、添付図面の説明である。図面は、必ずしも縮尺どおりではなく、ある特徴およびある図は、明瞭さおよび簡潔さを考慮して、尺度または概略において誇張されて示されていることがある。
【図１Ａ】目盛マークを有する一体型測定ピペットの斜視図である。
【図１Ｂ】図１Ａのピペットの先端領域の拡大された斜視図である。
【図１Ｃ】図１Ａのピペットの本体領域の拡大された斜視図である。
【図１Ｄ】図１Ａのピペットの入口領域の拡大された斜視図である。
【図２Ａ】差圧を加えながら成形するための、複数の凹んだチャネル４３を有する湾曲した内面４２を備える型半部の平面図である。
【図２Ｂ】図２Ａの型半部の横から見た断面図である。
【図３】管状ピペット本体の外面に沿って周方向リングまたは当たり確認線を有する、ピペットの中央部分の平面図である。
【図４Ａ】一体型測定ピペットを真空成形する方法のステップの概略的な断面図である。
【図４Ｂ】一体型測定ピペットを真空成形する方法のステップの概略的な断面図である。
【図４Ｃ】一体型測定ピペットを真空成形する方法のステップの概略的な断面図である。
【図５】ピペットキャビティの間に分離機構を備える、３つの一体型測定ピペットを成形するための装置の概略的な断面図である。
【図６】複数の連続的に分離可能な型アセンブリセグメントを有する、３つの一体型測定ピペットを成形するための装置の概略的な断面図である。
【図７】それぞれが１つの幅広の真空チャネルを有しかつ互いに接合された第１および第２の型ブランクの斜視図であり、各型ブランクは、通気性の開口または気孔を有しかつ一体型測定ピペットの少なくとも一部を成形するのに適した、フェースプレートまたはインサートを収容するように構成されている。
【図８】図７における断面線「Ａ−Ａ」に沿って見た、図７に記載の第１の型ブランクの横から見た断面図であり、第１の型ブランクにはフェースプレートまたはインサートが収容されている。
【図９】図７における断面線「Ｂ−Ｂ」に沿って見た、図７の第１および第２の型ブランクの横から見た断面図であり、型ブランクは、第１および第２のフェースプレートまたはインサートを収容している。
【図１０】図８および図９に記載の型ブランクおよびフェースプレートまたはインサートの斜視図である。
【図１１Ａ】横方向に延びる複数の狭幅のスロットとして構成された通気性の開口を有するフェースプレートまたはインサートの正面図である。
【図１１Ｂ】図１１Ａのフェースプレートまたはインサートの側面図である。
【図１２Ａ】長手方向に延びる複数の狭幅のスロットとして構成された通気性の開口を有するフェースプレートまたはインサートの正面図である。
【図１２Ｂ】図１２Ａのフェースプレートまたはインサートの側面図である。
【図１２Ｃ】図１２Ａおよび図１２Ｂに示されたフェースプレートまたはインサートと実質的に同様の、ただし取付穴を有さないフェースプレートまたはインサートの斜視図である。
【図１３Ａ】円形の穴の配列として構成された通気性の開口を有するフェースプレートまたはインサートの正面図であり、この配列は、ずれた穴の列から成る。
【図１３Ｂ】図１３Ａのフェースプレートまたはインサートの側面図である。
【図１３Ｃ】図１３Ａのフェースプレートまたはインサートの斜視図である。
【図１４Ａ】整列した穴の列を成す円形の穴の配列として構成された通気性の開口を有するフェースプレートまたはインサートの正面図である。
【図１４Ｂ】図１４Ａのフェースプレートまたはインサートの側面図である。
【図１５Ａ】それぞれが複数のスポット状真空チャネルを有しかつ互いに接合された第１および第２の型ブランクを含む型アセンブリの斜視図であり、それぞれ図１３Ａ〜図１３Ｃに記載された第１および第２のフェースプレートまたはインサートは、型アセンブリに収容されておりかつ一体型測定ピペットの少なくとも一部を成形するのに適している。
【図１５Ｂ】図１５Ａの型アセンブリの斜視部分破断図である。
【図１５Ｃ】図１５Ａおよび図１５Ｂの型アセンブリの正面図である。
【図１５Ｄ】図１５Ｃの断面線「Ｃ−Ｃ」に沿って見た図１５Ａ〜図１５Ｃの型アセンブリの断面図である。
【図１５Ｅ】図１５Ｄの破線で示した円「Ｘ」によって示された、図１５Ｄの横断面図の拡大した部分を示す図である。
【図１５Ｆ】図１５Ｃの断面線「Ｄ−Ｄ」に沿って見た図１５Ａ〜図１５Ｃの型アセンブリの断面図である。
【図１６】通気性の材料から形成されておりかつ複数の通気性の気孔を有するフェースプレートまたはインサートの斜視図である。
【図１７Ａ】第１の型ブランクによって収容されておりかつ一体型測定ピペットの少なくとも一部を成形するのに適した多孔質ブロックタイプインサートの正面斜視図である。
【図１７Ｂ】図１７Ａのブロックタイプインサートおよび型ブランクの後側斜視断面図である。
【図１８Ａ】複数のスロット状真空チャネルを有しかつ一体型測定ピペットの少なくとも一部を成形するのに適した型ブランクによって収容された、ピンホール配列を有するインサートの正面図である。
【図１８Ｂ】図１８Ａのピンホール配列を有するインサートおよび型ブランクの背面図である。
【図１８Ｃ】図１８Ａの断面線「Ｅ−Ｅ」および図１８Ｂの断面線「Ｇ−Ｇ」に沿って見た、図１８Ａおよび図１８Ｂのピンホール配列を有するインサートおよび型ブランクの横から見た断面図である。
【図１８Ｄ】図１８Ｃの断面線「Ｈ−Ｈ」に沿って見た、図１８Ａ〜図１８Ｃのピンホール配列を有するインサートおよび型ブランクの上から見た断面図である。
【図１８Ｅ】図１８Ａの断面線「Ｆ−Ｆ」に沿って見た、図１８Ａ〜図１８Ｄのピンホール配列を有するインサートおよび型ブランクの横から見た断面図である。
【図１８Ｆ】図１８Ａ〜図１８Ｅのピンホール配列を有するインサートおよび型ブランクの斜視図である。
【図１９Ａ】個々の型本体セクションの間に横方向凹所として予め設けられた横方向に延びる複数の狭幅のスロットとして構成された真空通路を有する、型本体の正面図である。
【図１９Ｂ】組立て中（左側）および互いに接合された後（右側）における、図１９Ａの型本体と同様の型本体を形成するために使用可能な、横方向凹所を有する２つの型本体組立て前セクションの概略的な正面図を示している。
【図１９Ｃ】図１９Ａの型本体の側面図である。
【図２０Ａ】個々の型本体セクションの間に長手方向凹所として予め設けられた長手方向に延びる複数の狭幅のスロットとして構成された通気性の開口を有する型本体の正面図である。
【図２０Ｂ】組立て中（下側）および互いに固定された後（上側）における、図２０Ａの型本体と同様の型本体を形成するために使用可能な、長手方向凹所を有する２つの型本体組立て前セクションの概略的な正面図を示している。
【図２０Ｃ】図２０Ａの型本体の側面図である。
【図２１Ａ】個々の型本体セクションの間に長手方向スロットを形成するために、長手方向凹所を有する非多孔質型本体セクションの間に配置された、多孔質型本体セクションを有する、複数の型本体セクションから成る型本体の正面図である。
【図２１Ｂ】長手方向凹所を有する２つの非多孔質型本体組立て前セクションの間に配置された、多孔質型本体組立て前セクションの概略的な正面組立図であり、型本体組立て前セクションは、図２１Ａの型本体と同様の型本体を形成するために使用可能である。
【図２１Ｃ】図２１Ａの型本体の側面図である。
【図２２Ａ】丸み付けられた（すなわち、直角でない）角によって画定された横方向に延びる複数の狭幅のスロットとして構成された通気性の開口を有するフェースプレートまたはインサートの一部の側面図である。
【図２２Ｂ】図２２Ａの破線の円「Ｙ」によって示された、図２２Ａの拡大された抜粋である。
【図２３】従来の真空成形されたピペットのエッジ部分の拡大した正面図の顕微鏡写真であり、３つの突出した周方向当たり確認特徴を示しており、各周方向当たり確認特徴は４ｍｍだけ離隔させられており、各周方向当たり確認特徴は約０．０７ｍｍの最大高さ寸法を有し、当たり確認特徴は、直角の角によって画定された横方向に延びるスロットとして構成された通気性の開口によって生じており、中央の当たり確認特徴付近に寸法を示す線が示されている。
【図２４Ａ】重ね合わされた接線およびピペット壁部に対する鈍角と共に、図２３に示された当たり確認特徴に対応する形状を有する突出した周方向当たり確認特徴を有する真空成形されたピペット壁部の一部の立面図である。
【図２４Ｂ】直角の角によって画定された横方向に延びるスロットの近くに位置決めされた図２４Ａの真空成形されたピペット壁部の立面図である。
【図２５Ａ】（水平な）ピペット壁部と、面取りされた（すなわち、直角でない）角によって画定された横方向に延びるスロットとして構成されたガス通路を有するフェースプレートまたはインサートを用いて真空成形することにより得られたピペット壁部の高さの低い周方向当たり確認特徴に対する接線を表す線との間に規定可能な、鈍角の立面図である。
【図２５Ｂ】減じられた高さの周方向当たり確認特徴を有するピペットを真空成形するために使用可能な、面取りされた（すなわち、直角でない）角によって画定された横方向に延びるスロットとして構成された通気性の開口を有するフェースプレートまたはインサートの一部の立面図である。
【発明を実施するための形態】
【００２１】
本開示は、一体型測定ピペット（例えば、血清学ピペット）および真空成形によって一体型測定ピペットを成形するための方法および装置に関する。
【００２２】
熱可塑性材料を用いたピペットの真空成形は、二軸配向されたポリマーの本体構造を結果として生じ、これにより、ピペット本体の壁厚を減じることができる。同時に、本明細書に開示された製造装置および方法を用いた、突出した周方向当たり確認特徴の減少、排除および／または変向は、このような当たり確認特徴と、ピペット本体の外面に印刷された目盛付き体積マークとの干渉を減じるまたは排除することがある。突出した周方向当たり確認特徴を減じるまたは排除するための典型的な装置および方法は、１５０μｍ以下または１０μｍ〜１００μｍの範囲の最大幅または直径を有する通気性の開口または気孔を備える成形面を利用してもよく、このような面は、（ｉ）型ブランクと協働するように構成されたフェースプレートまたはインサートまたは（ｉｉ）選択的にそれぞれが複数の型本体セクションから成る協働する第１および第２の型本体に設けることができる。通気性の気孔が、多孔質材料（例えば、多孔質の焼結された金属）に設けられてもよく、通気性の開口が、非多孔質材料に穴の配列として、横方向スロットとして、長手方向スロットとしてかつ／またはあらゆるその他の所望の形態の開口として構成されて設けられてもよい。（気孔とは反対に）通気性の開口がフェースプレート、インサートまたは型本体セクションに設けられている場合、このような開口を画定する面取りされたまたは丸み付けられた角が、真空成形作業中にこのような開口において形成されるあらゆる突出した当たり確認特徴の高さを減じるように働くこともある。角のこのような面取りまたは丸み付けは、周方向当たり確認特徴を減じるまたは排除するために通気性の開口の寸法を減じることに加えてまたはその代替手段として行われてもよい。
【００２３】
二軸配向の理解を可能にするために、ポリマー配向原理への簡単なイントロダクションを以下に示す。
【００２４】
機械的荷重に耐えるためのポリマーの能力は、共有結合の強度および分子間の力に依存する。非晶質系において、機械的荷重のほとんどは、ファンデルワールス相互作用および鎖間のランダムコイルからみ合いによって支持される。しかしながら、ポリマー鎖の実質的な部分を耐荷方向において整列させる（すなわち、配向させる）ことができるならば、荷重のより大きな部分を主鎖共有結合へ伝達することができる。非晶質系では鎖配向のみが生じるのに対し、半結晶質ポリマーでは鎖および結晶質領域の両者を整列させることができる。非晶質系および半結晶質系の両者において、配向の結果は、配向の方向における増大した強度につながる。一軸配向された材料は、一般的に、配向に対して垂直方向において低い強度を有する。
【００２５】
ポリマー鎖は、これらのポリマー鎖を、溶融したまたはほぼ溶融した状態において延伸ひずみ（流れ）に曝すことによって配向される。ポリマー材料の二軸配向は、高温において２つの方向（例えば、半径方向および長さ方向）に材料をひずませ、材料をひずませながら冷却させることによって達成することができる。配向されていないまたは一軸配向されたポリマーと比較して、二軸配向は、機械的および光学的特性が高められた、厚さが減じられたフィルムおよびコンテナの製造を可能にする。二軸配向は、ブロー成形または真空成形作業により得られてもよい。
【００２６】
ピペットの突出した周方向当たり確認特徴を減じる、排除するかつ／または変向するための具体的な詳細に行く前に、一体型測定ピペットの真空成形のための装置および方法ステップへの一般的なイントロダクションが、図４Ａ〜図６を参照しながら以下に示される。
【００２７】
図４Ａ〜図４Ｃは、一体型測定ピペットを真空成形する方法のステップの概略的な断面図である。パリソン６０（またはチューブまたはプリフォーム）が、型半部５４，５６から成る型５０に挿入されてもよく、型半部５４，５６は、成形面５２によって画定された型キャビティ５８を有する。型５０は、型端部機構６４，６６を有してもよく、型端部機構６４，６６は、パリソン６０または型５０内で成形された（図１Ａに示した）ピペット１０を切断するまたは筋入れするために使用されるブレード、ナイフまたは鋭い刃を含んでもよい。一般的に、パリソン６０は、中空円筒体の形状である。しかしながら、パリソン６０は、選択的に、中空の六角形の壁部を有する多角形または別の形状として提供することができる。パリソン６０は、内部空間６８を包囲する内側湾曲面６１を有してもよい。パリソン６０は、パリソン厚さ６５を有してもよい。パリソン５０は、例えば、中空円筒状チューブを成形するためにポリマーメルトを押出成形することによって、あらゆる適切な材料（ポリスチレンおよびポリプロピレンなどのポリマー、またはガラスを含む）から製造されてもよい。パリソン６０は、軟化温度範囲に加熱されてもよく、軟化温度においてパリソン６０の材料は容易に成形可能である。それに続いて、（ｉ）型キャビティ５８へのパリソン６０の挿入または（ｉｉ）パリソン６０の周囲での型半部５４，５６の閉鎖が行われる。次いで、真空通路５５によって型５０内に大気圧未満の（例えば、真空）圧力条件が形成される。大気圧未満の圧力は、例えば、約０．０１ＭＰａ〜約０．０９ＭＰａの範囲にあってもよい。型キャビティ５８内の減じられた圧力によりパリソン６０が外方へ膨張し、（より低い温度である）型に接触し、型キャビティ５８の形状と合致し、ピペット１０を成形する。真空通路５５内へのパリソン６０の加熱された材料の膨張により、ピペット１０は、ピペット１０の外面に沿って周方向当たり確認特徴２８（図３に示されている）を形成することもある。
【００２８】
真空成形によりピペット１０（図１Ａに示されている）を製造することは、真空成形プロセス中の二軸膨張によりピペット１０の靭性を高めることがある。真空成形の間、体積マーク１７などの表面特徴（図１Ａに示されている）がピペット１０の外面に加えられてもよい。これらの体積マーク１７は、単独でまたは互いに組み合わせて、複数の異なる技術によって形成されてもよい。これらの技術は、成形中にピペット表面特徴に対応する型表面特徴を形成するために、型キャビティ５８に印刷またはインプリントする、型キャビティ５８の表面にインクを堆積させ、インクを次いで成形中にピペット１０の外面へ転移させる、またはラベルを型キャビティ５８に挿入し、ラベルを成形中にピペットの外面に取り付ける、ことを含んでもよい。ピペット１０が十分に冷却されると、型５０は、例えば型半部５４，５６を開放させることによって開放されてもよく、ピペット１０は排出されてもよい。選択的に、型５０の開放を行うために、一方または両方の型半部５４，５６が回転させられてもよい。次いで、新たなパリソンが型５０に挿入されてもよく、別のピペットを成形するためにプロセスが反復されてもよい。
【００２９】
ある実施態様において、１つの型を使用して複数のピペットが同時に製造されてもよい。図５は、３つのピペット８０〜８２が成形される３つの型セクション７２，７４，７６を有する型７０を示している。ピペット８０〜８２は、以下でさらに詳細に説明するように、真空成形され、分離機構に従って分離されてもよい。一例として、ピペット８０〜８２は、分離機構６４，６６によって切断されてもよく、この分離機構６４，６６は、パリソン６０またはピペット８０〜８２を切断するまたは筋入れするために使用されるブレード、ナイフまたは鋭い刃であってもよい。選択的に、ピペット８０，８２は、それらの先端領域が互いに隣接するように配置されてもよく、ピペット８２，８２は、それらの入口領域が互いに隣接するように配置されてもよい。先端対先端および入口対入口でピペットを配置することは、製造効率を高め、製造コストを削減することがある。例えば、発生したスクラップピペット材料の量は、隣接するピペットを先端対先端および入口対入口で配置することによって減じられることがある。代替例として、ピペットは、ピペット８０，８１のうちの第１のピペットの入口領域が、ピペット８１，８２のうちの他方のピペットの先端領域に隣接するように配置されてもよい。入口厚さから先端厚さへの大きな段状変化は、ピペット８１，８２に対する力が分離を促進する位置を型７０に提供し、向上した分離効率につながる。図５には示されていないが、真空成形を行うことを可能にするために型セクション７２，７４，７６を貫通して真空通路が設けられてもよいことが認められるべきである。
【００３０】
ある実施態様において、型アセンブリは、１つ以上のピペットを成形するために順に配置されてもよい複数の型アセンブリセグメントを有してもよい。選択的に、各型アセンブリセグメントは、個々のピペットの全長より短くてもよい。図６は、複数の型アセンブリセグメント９２を含む型アセンブリ９０を示しており、型アセンブリセグメント９２は、ピペット製造中に望みに応じて選択的に開閉させられてもよい。パリソンを予備成形し、パリソンを型に挿入する代わりに、パリソンまたはプリフォームを成形するために、ポリマーメルトを押出機出口９５から押し出して、パリソンまたはプリフォームを型アセンブリセグメント９２と連続的に接触させてもよい。型アセンブリ９０は、ピペット８０〜８２を成形するような形状であり、ピペット８０〜８２は、型アセンブリセグメント９２の内部キャビティ９４に合致する。ある実施態様において、個々の型アセンブリセグメント９２は、約０．２５インチ（約０．６３５ｃｍ）〜約１４インチ（約３５．５６ｃｍ）、約０．５０インチ（約１．２７ｃｍ）〜約１０インチ（約２５．４ｃｍ）、約１．０インチ（約２．５４ｃｍ）〜約７．０インチ（約１７．７８ｃｍ）または約２．０インチ（約５．０８ｃｍ）〜約４．０インチ（約１０．１６ｃｍ）の範囲の長さを有してもよい。圧縮空気は、型アセンブリ９０の形状においてピペット８０〜８２を成形するために型アセンブリ９０内へ断続的または継続的に提供されてもよい。大気圧未満の圧力は、型アセンブリセグメント９２に設けられかつ型アセンブリセグメント９２のキャビティ９４を画定した成形面と流体連通したガス通路（図示せず）を介して（ピペット８０〜８２の外側において）型アセンブリ９０に断続的または連続的に導入されてもよい。大気圧未満の圧力条件が連続的に維持されると、ピペット８０〜８２の入口、本体および先端部分は、型アセンブリセグメント９２がピペット８０〜８２と接触させられる速度を変化させることによってかつ／または押出機出口９５の出口速度を変化させることによって成形されてもよい。ピペット８０〜８２は、延伸され、ピペット８０〜８２を切断するまたは筋入れするために使用されるブレード、ナイフまたは鋭い刃を含んでもよい分離機構６４，６６によって切断されてもよい。
【００３１】
ある実施形態において、ピペットの少なくとも中空管状部分（選択的に、その先端および吸口部分を含む一体型測定ピペットの全体）を真空成形するための装置は、真空チャネルが設けられた第１および第２の型ブランクを有し、型ブランクに設けられた凹所に第１および第２のフェースプレートまたはインサートが収容されている。第１および第２のフェースプレートまたはインサートは相補的な半円筒状の成形面を有し、各成形面には複数の通気性の開口または気孔が設けられており、各通気性の開口または気孔は、１５０μｍ以下（または１０μｍ〜１００μｍの範囲またはその部分範囲）の最大幅または直径を有し、フェースプレートに設けられた真空チャネルと流体連通している。組み合わせた状態において、２つの半円筒状の成形面は、ピペットの少なくとも一部を成形するのに適した円筒状の型キャビティを形成してもよい。ある実施形態において、フェースプレートまたはインサートは、複数の通気性の気孔を有する多孔質材料（例えば、焼結された多孔質金属またはセラミックなどの、焼結された多孔質材料）を含んでもよい。
【００３２】
「フェースプレート」および「インサート」という用語は、型ブランクによって収容されるように配置されておりかつ成形作業中に加熱された熱可塑性材料と接触することが意図された成形面を有するエレメントを意味するために本明細書を通じて代替的または互換的に使用されてもよい。ある実施形態において、「フェースプレート」は、その厚さより実質的に大きな長さおよび／または幅を一般的に有するプレート状エレメントを意味してもよく、選択的に、（半円筒状の成形面を有するなどのために、フェースプレートの一部が湾曲させられているまたは曲げられているかどうかにかかわらず）実質的に一定の厚さを有する。ある実施形態において、「インサート」は、（例えば、半円筒状の成形面に隣接する部分において）一定ではない厚さを有してもよいが、長さおよび幅寸法のうちの一方または両方と同様の大きさの最大厚さ寸法を有してもよい。
【００３３】
ある実施形態において、フェースプレートまたはインサートは、セラミックまたは金属（例えば、成形された部品の解放を容易にするために、陽極酸化処理された層および／またはポリテトラフルオロエチレンなどの非粘着性材料のコーティングなどの、１つ以上の表面層を選択的に備える、アルミニウム、ステンレス鋼など）などの非多孔質材料を含んでもよく、フェースプレートまたはインサートの厚さ全体にわたって設けられた複数の通気性の開口を有してもよい。例えば、通気性の開口は、穴の配列として、横方向スロットとして、長手方向スロットとしてかつ／またはあらゆるその他の所望の形態の開口として構成されていてもよい。長手方向スロットは、第１および第２のフェースプレートまたはインサートの半円筒状の成形面によって画定される仮想円筒の中心に沿って規定可能な長手方向軸線に対して実質的に平行に向けられていてもよく、横方向スロットは、前記長手方向軸線に対して実質的に垂直に向けられていてもよい。ある実施形態において、１つ以上の開口は、１５０μｍ以下（または１０μｍ〜１００μｍの範囲）の最大幅と、最大幅の少なくとも１０倍の最大長さとを有する細長いスロット（直線的であるか、複数の接続された屈曲または湾曲したセグメントを含むかにかかわらない）を含んでもよい。
【００３４】
本明細書に開示されたフェースプレートまたはインサートは、様々な技術を用いて製造されてもよい。１つ以上の付加製造法（例えば、３Ｄプリンティング）および／または除去製造法（例えば、回転機械加工、放電機械加工（ＥＤＭ）、レーザ切断、ウォータジェット切断、フォトリソグラフィパターニングの後のエッチングおよび／または表面研削が用いられてもよい）が、フェースプレートまたはインサートの一部または全体を製造するために用いられてもよい。ある実施形態において、フェースプレートまたはインサートは、鋳造、鍛造または機械加工などの技術によって非通気性の材料（例えば、非多孔質金属）の初期本体構造を成形し、次いで、１５０μｍ以下（または１０μｍ〜１００μｍの範囲または１０μｍ〜５０μｍの範囲）の最大幅を有する１つ以上の開口を形成するために上述の除去製造法のうちの１つ以上によって初期本体構造の一部を選択的に除去することによって、製造されてもよい。非多孔質材料のフェースプレートまたはインサートに設けられた通気性の開口は、穴の配列として、横方向スロットとして、長手方向スロットとしてかつ／またはあらゆるその他の所望の形態の開口として構成されていてもよい。ある実施形態において、通気性の気孔は、多孔質材料（例えば、多孔質焼結金属および／またはセラミック材料）から製造されたフェースプレートまたはインサートに設けられていてもよい。
【００３５】
図７は、それぞれ１つの幅広の真空チャネル１０５Ａ，１０５Ｂ（図９に示されている）を有しかつ互いに接合された第１および第２の型ブランク１００Ａ，１００Ｂを示しており、各型ブランク１００Ａ，１００Ｂは、一体型測定ピペットの少なくとも一部を真空成形するのに適したフェースプレートまたはインサート（例えば、通気性の開口または気孔を有する）を収容するように構成されている。各型ブランク１００Ａ，１００Ｂは、本体構造１０１Ａ，１０１Ｂを有し、他方の型ブランク１００Ａ，１００Ｂの接合面１０２Ａ，１０２Ｂと接合するための接合面１０２Ａ，１０２Ｂを有する。各型ブランク１００Ａ，１００Ｂは、各真空チャネル１０５Ａ，１０５Ｂに対して直交方向に延びる半円形開口１０３Ａ，１０３Ｂをさらに有し、半円形開口１０３Ａ，１０３Ｂは、組み合わされることにより、真空成形作業のための準備においてパリソン（図示せず）を収容するのに適した円形開口を形成している。ある実施形態において、型ブランク１００Ａ，１００Ｂは、鋳造、機械加工、付加製造（例えば、３Ｄプリンティング）などの製造技術によって、金属またはセラミックなどの（ただしこれらに限定されない）適切な熱伝導性かつ耐熱性の材料から製造されてもよい。ある実施形態において、型ブランク１００Ａ，１００Ｂおよび関連するフェースプレートまたはインサート（図示せず）は、図６に関連して示されかつ説明された装置９０と同様に、一体型測定ピペットを成形するための装置の一部として使用可能な、分離可能な型アセンブリセグメントを構成していてもよい。
【００３６】
図８は、図７における断面線「Ａ−Ａ」に沿って見た、図７に記載の第１の型ブランク１００Ａの横から見た断面図であり、フェースプレートまたはインサート１１０Ａが、型ブランク１００Ａの本体構造１０１Ａに設けられたキャビティ１０４Ａに収容されている。フェースプレートまたはインサート１１０Ａは、直線セクション１１２Ａの間に配置された湾曲セクション１１４Ａ（湾曲した成形面１１６Ａを有する）を有し、湾曲セクション１１４Ａおよび直線セクション１１２Ａは実質的に同じ厚さを有する。図示したように、直線セクション１１２Ａは、第１の型ブランク１００Ａの接合面１０２Ａと実質的に同一平面にあってもよい。
【００３７】
図９は、図７における断面線「Ｂ−Ｂ」に沿って見た、図７の第１および第２の型ブランク１００Ａ，１００Ｂの横から見た断面図であり、第１および第２のフェースプレートまたはインサート１１０Ａ，１１０Ｂが、型ブランク１００Ａ，１００Ｂのキャビティ１０４Ａ，１０４Ｂに収容されている。各型ブランク１００Ａ，１００Ｂは、本体構造１０１Ａ，１０１Ｂを有する。第１および第２の型ブランク１０１Ａ，１０１Ｂは、接合面１０２Ａ，１０２Ｂに沿って互いに接触して配置されており、フェースプレートまたはインサート１１０Ａ，１１０Ｂの直線セクション１１２Ａ，１１２Ｂも互いに接触して配置されている。各フェースプレートまたはインサート１１０Ａ，１１０Ｂは、２つの直線セクション１１２Ａ，１１２Ｂの間に配置された湾曲セクション１１４Ａ，１１４Ｂを有する。フェースプレートまたはインサート１１０Ａ，１１０Ｂの湾曲セクション１１４Ａ，１１４Ｂは、型ブランク１００Ａ，１００Ｂに設けられた真空チャネル１０５Ａ，１０５Ｂ内に配置されており、湾曲セクション１１４Ａ，１１４Ｂの湾曲した成形面１１６Ａ，１１６Ｂは、組み合わされることによって、ピペットの少なくとも一部を製造するためのほぼ円筒状のキャビティ１１８を形成している。
【００３８】
図１０は、図９の第２の型ブランク１００Ｂの斜視図であり、図９のフェースプレートまたはインサートが、型ブランク１００Ｂの本体構造１０１Ｂに設けられたキャビティに収容されている。フェースプレートまたはインサート１１０Ｂは、２つの直線セクション１１２Ｂの間に配置された湾曲セクション１１４Ｂを有し、湾曲セクション１１４Ｂは、湾曲した成形面１１６Ｂを形成している。フェースプレートまたはインサート１１０Ｂは、フェースプレートまたはインサート１１０Ｂを第２の型ブランク１００Ｂに取外し可能に固定するために第２の型ブランク１００Ｂに設けられたねじ穴（図示せず）と協働するためのねじ（図示せず）を収容するように構成されたさら穴１１７Ｂを有する。図示したように、直線セクション１１２Ｂは、第２の型ブランク１００Ｂの接合面１０２Ｂと連続的な面を形成していてもよい。加えて、第２の型ブランク１００Ｂに設けられた半円形開口１０３Ｂは、フェースプレートまたはインサート１１０Ｂの湾曲した成形面１１６Ｂと位置合わせさせられている。フェースプレートまたはインサート１１０Ｂは、いかなる通気性の開口または気孔も有さないように示されているが、作用的なフェースプレートまたはインサートは、ピペットの少なくとも一部の真空成形を可能にするために、望ましくは、通気性の開口または気孔を有することが認められるべきである。したがって、以下に説明される様々なフェースプレートまたはインサートは、様々なサイズ、形状および向きの通気性の開口または気孔を有する。
【００３９】
図１１Ａおよび図１１Ｂは、横方向に延びる複数の狭幅のスロット１２５として構成された通気性の開口１２５を有するフェースプレートまたはインサート１２０を示している。６つの横方向に延びるスロット１２５が示されているが、横方向に延びるあらゆる適切な数のスロット１２５が設けられてもよいことが認められるべきである。各横方向に延びるスロット１２５は、好ましくは、１５０μｍ以下（または１０〜１００μｍの範囲、または１０〜５０μｍの部分範囲）の最大幅を有し、最大幅の少なくとも１０倍の最大長さを有する。フェースプレートは、２つの直線セクション１２２の間に配置された湾曲セクション１２４を有し、湾曲セクション１２４は、湾曲した成形面１２６を形成している。各横方向に延びるスロット１２５は、フェースプレートまたはインサートの厚さ全体にわたって延びており、各直線セクション１２２内へ短い距離だけ延びつつ、湾曲セクション１２４の距離全体にわたっている。ある実施形態において、横方向に延びるスロット１２５は、ＥＤＭ、レーザ切断、ウォータジェット切断またはフォトリソグラフィパターニングおよびエッチングなどの技術によって設けられてもよい。フェースプレートまたはインサート１２０は、型ブランク（例えば、図１０に示された型ブランク１００Ｂ）に設けられたねじ穴と協働するためのねじ（図示せず）を収容するように構成されたさら穴１２７をさらに有する。図１１Ｂに示したように、湾曲セクション１２４および直線セクション１２２は、実質的に同じ厚さを有する。
【００４０】
図１２Ａおよび図１２Ｂは、長手方向に延びる複数の狭幅のスロット１３５として構成された通気性の開口１３５を有するフェースプレートまたはインサート１３０を示している。各長手方向に延びるスロット１３５は、好ましくは、１５０μｍ以下（または１０〜１００μｍの範囲、または１０〜５０μｍの部分範囲）の最大幅を有し、最大幅の少なくとも１０倍の最大長さを有する。フェースプレートは、２つの直線セクション１３２の間に配置された湾曲セクション１３４を有し、湾曲セクション１３４は、湾曲した成形面１３６を形成している。各長手方向に延びるスロット１３５は、各直線セクション１３２内へ短い距離だけ延びつつ、フェースプレートまたはインサート１３０の厚さ全体および湾曲セクション１３４の長さの少なくとも約９０％にわたって延びている。長手方向に延びるスロット１３５は、本明細書において前に説明した同じ技術によって設けられてもよい。フェースプレートまたはインサート１３０は、フェースプレートまたはインサート１３０を型ブランク（例えば、図１０に示された型ブランク１００Ｂ）に取り付けるためのねじ（図示せず）を収容するように構成されたさら穴１３７をさらに有する。図１２Ｂに示したように、湾曲セクション１３４および直線セクション１３２は、実質的に同じ厚さを有する。
【００４１】
図１２Ｃは、図１２Ａおよび図１２Ｂに示されたフェースプレートまたはインサートと実質的に同様の、ただし型ブランクへのフェースプレートまたはインサート１３０の取付けを可能にするための穴を有さないフェースプレートまたはインサート１３０’の斜視図である。フェースプレートまたはインサート１３０’は、２つの直線セクション１３２の間に配置された湾曲セクション１３４を有し、湾曲セクション１３４は、湾曲した成形面１３６を形成している。長手方向に延びる複数の狭幅のスロット１３５として構成された複数の通気性の開口１３５が、湾曲セクション１３４を貫通して設けられている。ある実施形態において、フェースプレートまたはインサート１３０’は、型ブランクの対応する面に対して直線セクション１３２を溶接、接着または圧入することによって型ブランク（図示せず）に取り付けられてもよい。
【００４２】
図１３Ａ〜図１３Ｃは、ずれた穴の列を構成した円形の穴１４５の配列として構成された通気性の開口１４５を有するフェースプレートまたはインサート１４０を示している。各穴１４５は、好ましくは、１５０μｍ以下（または１０〜１００μｍの範囲または１０〜５０μｍの部分範囲）の最大直径または幅を有し、穴は、ＥＤＭ（例えば、ＥＤＭマイクロホールポッピング）、レーザ切断、ウォータジェット切断またはフォトリソグラフィパターニングおよびエッチングによって形成可能である。フェースプレートまたはインサート１４０は、２つの直線セクション１４２の間に配置された湾曲セクション１４４を有し、湾曲セクション１４４は、湾曲した成形面１４６を形成している。各穴１４５は、図１３Ｃに示したように、湾曲した成形面１４６に対して垂直な方向に設けられていてもよい。フェースプレートまたはインサート１４０は、型ブランク（例えば、図１０に示された型ブランク１００Ｂ）に設けられたねじ穴と協働するためのねじ（図示せず）を収容するように構成されたさら穴１４７をさらに有する。図１３Ｂおよび図１３Ｃに示したように、湾曲セクション１４４および直線セクション１４２は、実質的に同じ厚さを有する。
【００４３】
図１４Ａおよび図１４Ｂは、整列した穴の列を構成した円形の穴１５５の配列において構成された通気性の開口１５５を有するフェースプレートまたはインサート１５０を示している。各穴１５５は、同様の寸法を有してもよく、図１３Ａ〜図１４Ｃに関して述べたものと同じ技術によって製作されてもよい。フェースプレートまたはインサート１５０は、２つの直線セクション１５２の間に配置された湾曲セクション１５４を有し、湾曲セクション１５４は、湾曲した成形面１５６を形成している。各穴１５５は、図１３Ｃに示したように、湾曲した成形面１５６に対して垂直な方向に設けられていてもよい。フェースプレートまたはインサート１５０は、型ブランク（例えば、図１０に示された型ブランク１００Ｂ）に設けられたねじ穴と協働するためのねじ（図示せず）を収容するように構成されたさら穴１５７をさらに有する。図１４Ｂに示したように、湾曲セクション１５４および直線セクション１５２は、実質的に同じ厚さを有する。
【００４４】
図１５Ａ〜Ｄおよび図１５Ｆは、それぞれ複数のスロット状真空チャネル１７５Ａ，１７５Ｂ（図１５Ｆに示されている）を有する第１および第２の型ブランク１７０Ａ，１７０Ｂを有する型アセンブリ１６０を示しており、第１および第２のフェースプレートまたはインサート１４０Ａ，１４０Ｂ（それぞれ図１３Ａ〜図１３Ｃの設計による）が、第１および第２の型ブランク１７０Ａ，１７０Ｂに設けられた凹所１７４Ａ，１７４Ｂ（図１５Ｄに示されている）内に収容されている。型アセンブリ１６０は、改良された表面品質（例えば、長手方向軸線に対して非平行でありかつピペットの管状本体の外面から突出した当たり確認特徴の減少または排除）を有するピペットの少なくとも一部を真空成形するのに適している。
【００４５】
図１５Ａは、型アセンブリ１６０の斜視図である。図示したように、各型ブランク１７０Ａ，１７０Ｂは、本体構造１７１Ａ，１７１Ｂを有し、他方の型ブランク１７０Ａ，１７０Ｂと接合するための接合面１７２Ａ，１７２Ｂを有する。各型ブランク１０７Ａ，１７０Ｂは、各真空チャネル１７５Ａ，１７５Ｂ（図１５Ｆに示されている）に対して直交方向に延びる半円形開口１７３Ａ，１７３Ｂをさらに有し、半円形開口１７３Ａ，１７３Ｂは、組み合わされることにより、真空成形作業のための準備においてパリソン（図示せず）を収容するのに適した円形開口を形成している。
【００４６】
図１５Ｂは、型アセンブリ１６０の斜視部分破断図である。図１５Ｃは、型アセンブリ１６０の正面図である。図１５Ｄは、図１５Ｃの断面線「Ｃ−Ｃ」に沿って見た、型アセンブリ１６０の断面図であり、図１５Ｅは、図１５Ｄの拡大した部分である。図１５Ｆは、図１５Ｃの断面線「Ｄ−Ｄ」に沿って見た型アセンブリ１６０の断面図である。図１５Ｂ、図１５Ｄおよび図１５Ｆは、型ブランク１７０Ａ，１７０Ｂによって収容されたフェースプレートまたはインサート１４０Ａ，１４０Ｂを示しており、各フェースプレートまたはインサート１４０Ａ，１４０Ｂ（図１５Ｄに示されている）は、２つの直線セクション１４２Ａ，１４２Ｂの間に配置された湾曲セクション１４４Ａ，１４４Ｂを有し、それぞれの直線セクション１４２Ａ，１４２Ｂは互いに接している。図１５Ｂおよび図１５Ｄに示したように、フェースプレートまたはインサート１４０Ａ，１４０Ｂの直線セクション１４２Ａ，１４２Ｂは、型ブランク１７１Ａ，１７１Ｂにおけるねじ穴１７７Ａ，１７７Ｂと協働するためのさら穴１４７Ａ，１４７Ｂを有する（１つの穴１４７Ｂのみが図１５Ｂに示されているが、対応する穴１４７Ａが直線セクション１４２Ａに設けられていることが認められるべきである）。図１５Ｄ〜図１５Ｆを参照すると、湾曲セクション１４４Ａ，１４４Ｂは、湾曲した成形面１４６Ａ，１４６Ｂを有し、湾曲した成形面１４６Ａ，１４６Ｂは、組み合わされることによってキャビティ１４８を画定する。図１５Ｆに示したように、湾曲セクション１４４Ａ，１４４Ｂを貫通して設けられた穴１４５Ａ，１４５Ｂは、第１および第２の型ブランク１７０Ａ，１７０Ｂに設けられた真空チャネル１７５Ａ，１７５Ｂと流体連通して配置されている。こうして、（例えば、真空ポンプ（図示せず）を使用して）ガス通路１７５Ａ，１７５Ｂを大気圧未満の条件に曝すことによってキャビティ１４８の気体内容物が穴１４５Ａ，１４５Ｂおよびガス通路１７５Ａ，１７５Ｂを通って排気されたとき、パリソン（図示せず）が、キャビティ１４８内で真空成形されてもよい。キャビティ１４８の気体内容物を排気するために、ガス通路１７５Ａ，１７５Ｂと位置合わせされていない穴１４５Ａ，１４５Ｂがさらに用いられてもよいことを保証するために、ある実施形態において、湾曲セクション１４４Ａ，１４４Ｂと、型ブランク１７０Ａ，１７０Ｂに設けられた凹所１７４Ａ，１７４Ｂとの間の境界面に、ガス通路１７４Ａ，１７４Ｂへのガスの横方向移動を可能にするために十分な僅かな間隙が設けられてもよい（図１５Ｄおよび図１５Ｅ参照）。
【００４７】
図１６は、通気性の材料から形成されておりかつ複数の通気性の気孔を有するフェースプレートまたはインサート１８０の斜視図である。フェースプレートまたはインサート１８０は、直線セクション１８２の間に配置された湾曲セクション１８４（湾曲した成形面１８６を有する）を有し、湾曲セクション１８４および直線セクション１８２は実質的に同じ厚さを有する。ある実施形態において、フェースプレートまたはインサート１８０は、型ブランクの対応する面に対して直線セクション１８２を溶接、接着または圧入することによって型ブランク（図示せず）に取り付けられてもよい。
【００４８】
図１７Ａおよび図１７Ｂは、型ブランク１９０の本体構造１９１に設けられたキャビティ１９４に収容された多孔質インサート２００を示しており、本体構造１９１は、（例えば、同じタイプの別のフェースプレートまたはインサートの接合面と当接するように構成された）接合面１９２をさらに有する。多孔質インサート２００は、ほぼ矩形のブロック形状を有し、湾曲した（例えば、半円筒状の）成形面２０６が、多孔質インサート２００のそれ以外平坦な面２０２に設けられている。これに関して、多孔質インサート２００は、一定でない厚さを有する。多孔質インサート２００の平坦な面２０２は、型ブランク１９０の接合面１９２と実質的に同一平面にあってもよい。図１７Ｂを参照すると、型ブランク１９０は、型ブランク１９０を貫通した複数のスロット状真空チャネル１９５を有し、このような真空チャネル１９５は、多孔質インサート２００の通気性の気孔に曝されている。型ブランク１９０は、多孔質インサート２００が型ブランク１９０に取外し可能に固定されることを可能にするために、多孔質インサート２００に設けられたねじ穴２０７と協働するためのねじ（図示せず）を収容するように構成されたさら穴１９７をさらに有する。
【００４９】
図１８Ａ〜図１８Ｆは、ピンホール２２５Ａ，２２５Ｂの配列を有し、かつ複数のスロット状真空チャネル２１５を有する型ブランク２１０によって収容されたインサート２２０を示しており、インサート２２０および型ブランク２１０は、改良された表面品質（例えば、長手方向軸線に対して非平行でありかつピペットの管状本体の外面から突出した当たり確認特徴の減少または排除）を有する一体型測定ピペットの少なくとも一部を成形するのに適したアセンブリの一部を構成している。図１８Ａ、図１８Ｂおよび図１８Ｆはそれぞれ、型ブランク２１０によって収容されたインサート２２０の正面図、背面図および斜視図を示している。図１８Ｄは、図１８Ｃの断面線「Ｈ−Ｈ」に沿って見た、インサート２２０および型ブランク２１０の上から見た断面図である。図１８Ｅは、図１８Ａの断面線「Ｆ−Ｆ」に沿って見た、インサート２２０および型ブランク２１０の横から見た断面図である。図１８Ｆは、インサート２２０および型ブランク２１０の斜視図である。
【００５０】
概して図１８Ａ〜図１８Ｆを参照すると、型ブランク２１０は、別の型ブロック（図示せず）に配置された同じタイプの別のインサートの接合面と当接するように意図された接合面２１２を有する本体構造２１１を有する。インサート２２０は、ほぼ矩形のブロック形状を有し、湾曲した（例えば、半円筒状の）成形面２２６が、インサート２２０のそれ以外平坦な面２２２に設けられており、これにより、インサート２２０が一定でない厚さを有する。インサート２２０の平坦な面２２２は、型ブランク２１０の接合面２１２と実質的に同一平面にあってもよい。図１８Ｂおよび図１８Ｅを参照すると、型ブランク２１０は、インサート２２０が型ブランク２１０に取外し可能に固定されることを可能にするために、インサート２２０に設けられたねじ穴２２７と協働するためのねじ（図示せず）を収容するように構成されたさら穴２１７を有する。図１８Ｃを参照すると、穴の第１のグループ２２５Ａが、湾曲した成形面２２６を貫通して（かつインサート２２０の厚さ全体を貫通して）水平方向に設けられていてもよく、穴の第２のグループ２２５Ｂが、湾曲した成形面２２６を貫通して（かつインサート２２０の厚さ全体を貫通して）鉛直方向に設けられていてもよい。加えて、型ブロック２１０を貫通して設けられたスロット状真空チャネル２１５と整列させられていない穴の第１および／または第２のグループ２２５Ａ，２２５Ｂのうちのあらゆる穴に対するガスの排出を可能にするために、インサート２２０の周囲と型ブランク２２２との間に、インサート２２０の平坦な面２２２に通じない周囲空気間隙２２８が設けられていてもよい。図１８Ｄを参照すると、穴の第１のグループ２２５Ａのうちのある穴は、インサート２２０と型ブランク２１０との間に設けられた周囲空気間隙２２８によって、ガス通路２１５と整列させられていてもよい。その結果、湾曲した成形面２２６によって部分的に画定されたキャビティの気体内容物は、（例えば、真空ポンプ（図示せず）を使用して）スロット状真空チャネル２１５を大気圧未満の条件へ曝すことによって、穴２２５Ａ，２２５Ｂ、ガス通路２２８およびスロット状真空チャネル２１５を通じて排気されてもよい。
【００５１】
ある実施形態において、ピペットの少なくとも一部を真空成形するための装置は、それぞれ複数の型本体セクションから成る第１および第２の型本体を有し、各型本体の型本体セクションは、半円筒状の成形面を有する。第１の型本体は、半円筒状の第１の成形面を貫通して延びる複数の第１の真空通路を有し、第２の型本体は、半円筒状の第２の成形面を貫通して延びる複数の第２の真空通路を有する。第１の型本体内において、各第１の型本体セクションが、隣接する少なくとも１つの他の第１の型本体セクションと接触して配置されており、各第１の型本体セクションの一部は、複数の第１の真空通路のうちの異なる第１の真空通路によって、隣接する少なくとも１つの他の第１の型本体セクションから分離されている。同様に、第２の型本体内において、各第２の型本体セクションが、隣接する少なくとも１つの他の第２の型本体セクションと接触して配置（例えば、圧縮保持、接着、溶接など）されており、各第２の型本体セクションの一部は、複数の第２の真空通路のうちの異なる第２の真空通路によって、隣接する少なくとも１つの他の第２の型本体セクションから分離されている。半円筒状の第１の成形面と半円筒状の第２の成形面とが実質的に連続的な成形面を形成するために、第２の型本体は第１の型本体と協働するように構成されている。各真空通路は、１５０μｍ以下の最大幅（または選択的に、１０〜１００μｍの範囲、または１０〜５０μｍの範囲の最大幅）を有する。ある実施形態において、真空通路は、型本体セクションに設けられた凹所に対応し、このような凹所は、切断、研削などのあらゆる適切な材料除去プロセスによって設けられてもよい。ある実施形態において、各真空通路は、最大幅の少なくとも１０倍の最大長さを有する。ある実施形態において、各真空通路は、（半円筒状の第１および第２の成形面によって画定された仮想円筒の中心に沿って規定可能な）長手方向軸線に対して実質的に平行に延びておりかつ最大幅に対して実質的に垂直に延びる長さを有する。その他の実施形態は、各真空通路は、長手方向軸線に対して実質的に垂直に延びておりかつ最大幅に対して実質的に平行に延びている長さを有する。選択的に、各真空通路は、直角でない（例えば、丸み付けられたまたは面取りされた）角を有するエッジによって画定されている。
【００５２】
図１９Ａおよび図１９Ｃは、個々の型本体セクションの間に横方向凹所として予め設けられた横方向に延びる複数の狭幅のスロット２３５として構成された真空通路２３５を有する型本体２３０を示している。型本体２３０は、ほぼ矩形のブロック形状を有する本体構造２３１を有し、湾曲した（例えば、半円筒状の）成形面２３６が、本体構造２３１のそれ以外平坦な面２３２に設けられている。各横方向に延びるスロット２３５は、好ましくは、１５０μｍ以下（または１０〜１００μｍの範囲、または１０〜５０μｍの部分範囲）の最大幅を有し、最大幅の少なくとも１０倍の最大長さを有し、本体構造２３１の厚さ全体を貫通して延びている。各型本体２３０の成形面２３６によって画定された円筒状キャビティ（図示せず）を形成するために、型本体２３０は、その各平坦な面２３２に沿って別の型本体（図示せず）と接合することが意図されている。真空成形作業中、真空通路２３５（横方向に延びるスロット２３５として構成されている）は、（例えば、真空ポンプ（図示せず）を使用して）真空通路２３５を大気圧未満の条件に曝すことによって円筒状キャビティからガスを排出するために使用されてもよい。
【００５３】
図１９Ｂは、横方向チャネル２４５を有する集成構造２４４を形成するための、組立て中（左側）および圧縮保持されかつ互いに接合された後（右側）における、横方向凹所２４３を有する２つの型本体組立て前セクション２４１の概略的な正面図を示している。このような組立て前セクション２４１および集成構造２４４は、図１９Ａおよび図１９Ｃの型本体２３０と同様の型本体を形成するために使用可能である。特に、横方向凹所２４３は、マイクロスケール特徴を設けることができるＥＤＭ、レーザ切断またはエッチングなどの先進的な材料除去技術を必ずしも必要とすることなく、切断、研削などのあらゆる適切な材料除去プロセスによって形成されてもよい。再び述べるが、個々の組立て前セクション２４１の間に薄い横方向凹所２４３を設けた後、このようなセクションを（取外し可能に（圧縮保持などによって）または永久的に（陽極ボンディング、溶接、接着剤などによって））接合し、集成構造２４４を形成することにより、先進的な加工を用いることなく極めて小さな幅の横方向チャネル２４５を形成することができる。ある実施形態において、集成構造２４４には、図１９Ｃに示された湾曲した（例えば、半円筒状の）成形面２３６を製作するなどのために、集成構造２４４が形成された後に１回以上の賦形（例えば、材料除去）作業が行われてもよい。
【００５４】
図２０Ａおよび図２０Ｃは、個々の型本体セクションの間に長手方向凹所として予め設けられた長手方向に延びる複数の狭幅のスロット２５５として構成された真空通路２５５を有する型本体２５０を示している。型本体２５０は、ほぼ矩形のブロック形状を有する本体構造２５１を有し、湾曲した（例えば、半円筒状の）成形面２５６が、本体構造２５１のそれ以外平坦な面２５２に設けられている。各長手方向に延びるスロット２５５は、好ましくは、１５０μｍ以下（または１０〜１００μｍの範囲、または１０〜５０μｍの部分範囲）の最大幅を有し、最大幅の少なくとも１０倍の最大長さを有し、本体構造２５１の厚さ全体を貫通して延びている。各型本体２５０の成形面２５６によって画定された円筒状キャビティ（図示せず）を形成するために、型本体２５０は、その各平坦な面２５２に沿って別の型本体（図示せず）と接合することが意図されている。真空成形作業中、真空通路２５５（長手方向に延びるスロット２５５として構成されている）は、真空ポンプ（図示せず）を使用するなどによって、（真空通路２５５と流体連通した）延長通路２５８を大気圧未満の条件に曝すことによって円筒状キャビティからガスを排出するために使用されてもよい。
【００５５】
図２０Ｂは、長手方向チャネル２６５を有する集成構造２６４を形成するための、組立て中（下側）および圧縮保持されかつ互いに接続された後（上側）における、長手方向凹所２６３を有する２つの型本体組立て前セクション２６１の概略的な正面図を示している。このような組立て前セクション２６１および集成構造２６５は、図２０Ａおよび図２０Ｃの型本体２５０と同様の型本体を形成するために使用可能である。長手方向凹所２６３は、図１９Ｂの横方向凹所２４３に関連して説明したのと同じ形式で形成されてもよい。個々の組立て前セクション２６１の間に薄い長手方向凹所２６３を設けた後、このようなセクションを（取外し可能に（圧縮保持などによって）または永久的に（陽極ボンディング、溶接、接着剤などによって））接合し、集成構造２６４を形成することにより、先進的な加工を用いることなく極めて小さな幅の長手方向チャネル２６５を形成することができる。ある実施形態において、集成構造２６４には、図２０Ｃに示された湾曲した（例えば、半円筒状）成形面２５６を製作するなどのために、集成構造２６４が形成された後に１回以上の賦形（例えば、材料除去）作業が行われてもよい。
【００５６】
ある実施形態において、多孔質材料の１つ以上の型本体セクションが、型本体を形成するために、非多孔質材料の１つ以上の型本体セクションと組み合わされて使用されてもよく、付加的な真空通路として働く凹所が、選択的に、１つ以上の型本体セクションに設けられてもよい。
【００５７】
図２１Ａおよび図２１Ｃは、非多孔質型本体セクションの間に配置された多孔質型本体セクションを有する複数の型本体セクションから成る型本体２７０を示しており、複数の長手方向真空通路２７５が、個々の型本体セクションの間に長手方向凹所として予め設けられている。型本体２７０は、ほぼ矩形のブロック形状を有する本体構造２７１を有し、湾曲した（例えば、半円筒状の）成形面２７６が、多孔質材料によって画定されて設けられていて、本体構造２７１のそれ以外平坦な面２７２に対して凹まされている。各長手方向に延びるスロット２７５は、好ましくは、１５０μｍ以下（または１０〜１００μｍの範囲、または１０〜５０μｍの部分範囲）の最大幅を有し、最大幅の少なくとも１０倍の最大長さを有し、本体構造２７１の厚さ全体を貫通して延びていてもよい。各型本体２７０の成形面２７６によって画定された円筒状キャビティ（図示せず）を形成するために、型本体２７０は、その各平坦な面２７２に沿って別の型本体（図示せず）と接合することが意図されている。真空成形作業中、成形面２７６を画定する多孔質材料は、（例えば、真空ポンプ（図示せず）を使用して）延長通路２７８（図２１Ｃに示されている）を大気圧未満の条件に曝すことによって円筒状キャビティからガスを排出するために使用されてもよい。選択的に、長手方向真空通路２７５は、２つの型本体２７０が互いに接合されたときに型本体の間に気体通過を可能にするために使用されてもよい。
【００５８】
図２１Ｂは、長手方向凹所２８３を画定する２つの非多孔質型本体組立て前セクション２８１の間に配置された多孔質型本体組立て前セクション２８７の概略的な正面組立て図であり、型本体組立て前セクション２８１，２８７は、図２１Ａおよび図２１Ｃの型本体２７０と同様の型本体を形成するために使用可能である。長手方向凹所２８３は、（例えば、図１９Ｂに示された横方向凹所２４３の形成に関連して）前の実施形態において説明したのと同じ形式で形成されてもよい。ある実施形態において、型本体組立て前セクション２８１，２８７によって形成可能な集成構造には、図２１Ｃに示された湾曲した（例えば、半円筒状の）成形面２７６を製作するなどのために、集成構造２６４が形成された後に１回以上の賦形（例えば、材料除去）作業が行われてもよい。
【００５９】
ある実施形態において、フェースプレート、インサートまたは型本体セクションの成形面に設けられた通気性の開口は、面取りされたまたは丸み付けられた（例えば、直角でない）角によって画定されるように形成されてもよい。なぜならば、直角でない角を設けることは、真空成形作業中にこのような開口において形成されやすいあらゆる突出した当たり確認特徴の高さを減じるように働くことがあるからである。角のこのような面取りまたは丸み付けは、周方向当たり確認特徴を減じるまたは排除するために通気性の開口の寸法を減じることに加えてまたはその代替手段として行われてもよい。ある実施形態において、成形面に設けられた各ガス開口のエッジの直角でない角を設けることは、管状本体の長手方向軸線に対して非平行な最大長さ方向寸法および０ｍｍ〜０．０２ｍｍの範囲の高さを有する当たり確認特徴を提供するように構成されている。
【００６０】
図２２Ａは、本体構造３０１を有しかつ、成形面３０６に設けられた横方向に延びる複数の狭幅のスロット３０５として構成された通気性の開口３０５を有する、フェースプレートまたはインサート３００の一部の側面図であり、横方向に延びるスロット３０５は、丸み付けられた（すなわち、直角でない）角３０９によって画定されている。図２２Ｂは、図２２Ａの破線の円「Ｙ」によって示された、図２２Ａの拡大された抜粋である。ある実施形態において、横方向に延びるスロット３０５は、１５０μｍ以下（または１０〜１００μｍの範囲、または１０〜５０μｍの範囲）の最大幅を有する。ある実施形態において、各丸み付けられた角３０９の半径は、隣接する横方向に延びるスロット３０５の公称幅の約０．２倍〜約１倍の範囲、約０．２５倍〜約０．５倍の範囲である。
【００６１】
図２３は、従来の真空成形されたピペットのエッジ部分の、２０倍に拡大した顕微鏡写真の拡大図であり、直角の角によって画定された横方向に延びるスロットとして構成された通気性の開口を有する型において真空成形することによって製作された、３つの突出した周方向当たり確認特徴（図２３において、３つの幅広の縦線および下側における下方へ延びる黒い「突出部」として示されている）を示している。各当たり確認特徴は、約４ｍｍ離隔させられており、約０．３ｍｍ〜約０．４ｍｍの幅を有し、約０．０７ｍｍの最大高さ寸法を有していた。高さおよび幅寸法を得るために、光学コンパレータがスクリーン上に影を生成し、影の輪郭が基準線を用いて測定された。寸法線が、中央の当たり確認特徴の近くにおいて図２３に示されている。図２３における右側の当たり確認特徴と中央の当たり確認特徴との間に、印刷された数値体積値も見えている。
【００６２】
図２４Ａは、図２３に示された当たり確認特徴に対応する形状を有する突出した周方向当たり確認特徴３１２を有する真空成形されたピペット壁部３１０の一部を、重ね合わされた接線３１３およびピペット壁部３１０の直線部分３１１に対する（鈍角の）移行角θと共に示す平面図である。図２４Ａは、図２３に関連して説明した技術に従って取得された影イメージに対応する図である。ピペット壁部３１０の直線部分３１１と、突出した周方向当たり確認特徴３１２との間の移行角θは、影イメージから約１４７度であることが観察された。突出した周方向当たり確認特徴３１２は、直角の角によって画定された横方向に延びるスロットとして構成された真空チャネル内への軟化した熱可塑性材料の進入によって真空成形プロセス中に生じた。図２４Ｂは、図２４Ａの（ピペット壁部３１０の直線部分３１１に対して高くなった周方向当たり確認特徴３１２を有する）真空成形されたピペット壁部３１０の正面図であり、ピペット壁部３１０は、横方向に延びるスロット３２５の近くに位置決めされている。横方向に延びるスロット３２５は、直角の角３２９によって画定されている（各角は、成形面３２６と、成形面３２６に対して垂直なスロット形成面３２４との間に延在している）。直角の角は、周方向当たり確認特徴３１２の形状および寸法に影響する傾向があると考えられている。
【００６３】
図２５Ａは、（水平の）ピペット壁部３１１’と、面取りされたまたは丸み付けられた（すなわち、直角でない）角によって画定された横方向に延びるスロットとして構成されたガス通路を有するフェースプレートまたはインサートを用いて真空成形することにより得られた、ピペット壁部の減じられた高さの周方向当たり確認特徴への予想される移行に対して平行な線３１３’との間に規定可能な鈍角（＞θ）の平面図である。通気性の開口に沿って、面取りされたまたは丸み付けられた角が使用されると、図２５Ａの鈍角（＞θ）は１４７度より大きくなることがある（これにより、結果として減じられた高さの当たり確認特徴を生じる）と考えられる。図２５Ｂは、減じられた高さの周方向当たり確認特徴を有するピペットを真空成形するために使用可能な、面取りされた（すなわち、直角でない）角３３９によって画定された横方向に延びるスロットとして構成された通気性の開口３３５を有する成形面３３６を有するフェースプレートまたはインサートの一部の立面図である。各面取りされた角は、成形面３３６に対して垂直なスロット形成面３３４の間の中間角度を表す。
【００６４】
本明細書に開示された装置および方法は、長手方向軸線に対して非平行でありかつ管状本体の外面から突出した特徴の高さの減少または排除を伴ったピペットを成形するのに適している。例えば、本明細書に開示された装置を用いて真空成形などの方法によって製造可能なピペットは、０．５ｍｍ以下の公称厚さを有する二軸配向された熱可塑性材料の管状本体を有してもよく、管状本体の長手方向軸線に対して非平行な方向において管状本体の外面から突出した、選択的に存在するあらゆる当たり確認特徴は、減じられた高さ（例えば、約０．０２ｍｍ（２００μｍ）以下または約０．０１ｍｍ（１００μｍ）以下の最大高さ）を有する。ある実施形態において、管状本体の公称厚さは、約０．５ｍｍ以下、約０．３５ｍｍ以下または約０．２５ｍｍ〜約０．５ｍｍの範囲である。ある実施形態において、管状本体の外面から突出しておりかつ長手方向軸線に対して非平行な最大長さ方向寸法を有する、選択的に存在するあらゆる当たり確認特徴は、約０．０１ｍｍ以下の高さを有する。ある実施形態において、ピペットは、管状本体の外面から突出した当たり確認特徴を有さない。ある実施形態において、管状本体の外面は、管状本体の内部の部分の体積容量に対応する複数の目盛付きマークを有する。ある実施形態において、少なくとも管状本体、またはピペットの全体は、真空成形によって製造される。
【００６５】
ある実施形態において、真空成形装置の成形面に設けられた長手方向に向けられた通気性の開口（例えば、長手方向スロット）が、当たり確認特徴と、ピペットの管状本体の外面における目盛付き体積マークとの干渉を減じるために使用されてもよい。すなわち、ある実施形態において、ピペットは、先端と吸口との間に配置された二軸配向された熱可塑性材料の管状本体を有し、長手方向軸線が先端と吸口との間に延びており、ピペットは、管状本体の外面から突出した、長手方向に向けられた少なくとも３つの当たり確認特徴を有する。特に、少なくとも３つの当たり確認特徴の各当たり確認特徴は、長手方向軸線に対して実質的に平行な最大長さ方向寸法を有し、少なくとも３つの当たり確認特徴の他の各当たり確認特徴から半径方向に離隔させられている。ある実施形態において、管状本体の公称厚さは、約０．５ｍｍ以下、約０．３５ｍｍ以下または約０．２５ｍｍ〜約０．５ｍｍの範囲である。ある実施形態において、管状本体の外面は、管状本体の内部の部分の体積容量に対応する複数の目盛付きマークを有する。ある実施形態において、少なくとも管状本体、またはピペットの全体は、真空成形によって製造される。
【００６６】
本開示の態様（１）によれば、ピペットが提供される。ピペットは、先端と吸口との間に配置されておりかつ先端と吸口との間に延びる長手方向軸線を有する管状本体を有し、管状本体は、二軸配向された熱可塑性材料を含み、管状本体は、０．５ｍｍ以下の公称厚さを有し、管状本体の外面から突出しておりかつ長手方向軸線に対して非平行な最大長さ方向寸法を有する選択的に存在するあらゆる当たり確認特徴が、約０．０２ｍｍ以下の最大高さを有する。
【００６７】
本開示の態様（２）によれば、管状本体の公称厚さは、約０．３５ｍｍ以下である、態様（１）記載のピペットが提供される。
【００６８】
本開示の態様（３）によれば、管状本体の公称厚さは、約０．２５ｍｍ〜０．５ｍｍの範囲である、態様（１）記載のピペットが提供される。
【００６９】
本開示の１つの態様（４）によれば、ピペットは、管状本体の外面から突出する当たり確認特徴を有さない、態様（１）〜（３）までのいずれか１つ記載のピペットが提供される。
【００７０】
本開示の態様（５）によれば、管状本体の外面から突出しておりかつ長手方向軸線に対して非平行な最大長さ方向寸法を有する選択的に存在するあらゆる当たり確認特徴は、約０．０１ｍｍ以下の高さを有する、態様（１）〜（３）までのいずれか１つ記載のピペットが提供される。
【００７１】
本開示の態様（６）によれば、管状本体の外面は、管状本体の内部の部分の体積容量に対応する複数の目盛付きマークを有する、態様（１）〜（５）までのいずれか１つ記載のピペットが提供される。
【００７２】
本開示の１つの態様（７）によれば、管状本体は、真空成形によって製造されている、態様（１）〜（６）までのいずれか１つ記載のピペットが提供される。
【００７３】
本開示の態様（８）によれば、ピペットが提供される。ピペットは、先端と吸口との間に配置されておりかつ先端と吸口との間に延びる長手方向軸線を有する管状本体と、管状本体の外面から突出した少なくとも３つの当たり確認特徴とを有し、少なくとも３つの当たり確認特徴の各当たり確認特徴は、長手方向軸線に対して実質的に平行な最大長さ方向寸法を有し、少なくとも３つの当たり確認特徴の他の各当たり確認特徴から半径方向に離隔させられており、管状本体は、二軸配向された熱可塑性材料を含む。
【００７４】
本開示の態様（９）によれば、管状本体の公称厚さは、約０．５ｍｍ以下である、態様（８）記載のピペットが提供される。
【００７５】
本開示の態様（１０）によれば、管状本体の公称厚さは、約０．３５ｍｍ以下である、態様（８）または（９）記載のピペットが提供される。
【００７６】
本開示の態様（１１）によれば、管状本体の公称厚さは、約０．２５ｍｍ〜０．５ｍｍの範囲である、態様（８）または（９）記載のピペットが提供される。
【００７７】
本開示の態様（１２）によれば、管状本体の外面は、管状本体の内部の部分の体積容量に対応する複数の目盛付きマークを有する、態様（８）から（１１）までのいずれか１つ記載のピペットが提供される。
【００７８】
本開示の１つの態様（１３）によれば、管状本体は、真空成形によって成形されている、態様（８）から（１２）までのいずれか１つ記載のピペットが提供される。
【００７９】
本開示の態様（１４）によれば、ピペットの中空管状本体を真空成形するための装置が提供される。装置は、少なくとも１つの第１の真空チャネルおよび少なくとも１つの第１の凹所を有する第１の型ブランクと、少なくとも１つの第２の真空チャネルおよび少なくとも１つの第２の凹所を有する第２の型ブランクと、少なくとも１つの第１の凹所によって収容され、少なくとも１つの第１の真空チャネルと流体連通した複数の通気性の第１の開口または気孔を有する半円筒状の第１の成形面を有する、第１のフェースプレートまたはインサートと、少なくとも１つの第２の凹所によって収容され、少なくとも１つの第２の真空チャネルと流体連通した複数の通気性の第２の開口または気孔を有する半円筒状の第２の成形面を有する、第２のフェースプレートまたはインサートと、を有し、複数の通気性の第１の開口または気孔および複数の通気性の第２の開口または気孔の各開口または気孔は、１５０μｍ以下の最大幅または直径を有する。
【００８０】
本開示の態様（１５）によれば、複数の通気性の第１の開口または気孔および複数の通気性の第２の開口または気孔のうちの各開口または気孔は、１０μｍ〜１００μｍの範囲の最大幅または直径を有する、態様（１４）記載の装置が提供される。
【００８１】
本開示の態様（１６）によれば、第１のフェースプレートまたはインサートおよび第２のフェースプレートまたはインサートは、焼結された多孔質材料を含み、半円筒状の第１の成形面は、複数の通気性の第１の気孔を有し、半円筒状の第２の成形面は、複数の通気性の第２の気孔を有する、態様（１４）または（１５）記載の装置が提供される。
【００８２】
本開示の態様（１７）によれば、第１のフェースプレートまたはインサートおよび第２のフェースプレートまたはインサートは、非多孔質材料を含み、半円筒状の第１の成形面は、複数の通気性の第１の開口を有し、複数の通気性の第１の開口は、第１のフェースプレートまたはインサートの厚さ全体を貫通して延びており、半円筒状の第２の成形面は、複数の通気性の第２の開口を有し、複数の通気性の第２の開口は、第２のフェースプレートまたはインサートの厚さ全体を貫通して延びている、態様（１４）または（１５）記載の装置が提供される。
【００８３】
本開示の態様（１８）によれば、複数の通気性の第１の開口および複数の通気性の第２の開口の各開口は、１５０μｍ以下の最大幅と、最大幅の少なくとも１０倍の最大長さとを有する、態様（１７）記載の装置が提供される。
【００８４】
本開示の態様（１９）によれば、複数の通気性の第１の開口および複数の通気性の第２の開口の各開口の長さは、半円筒状の第１の成形面および半円筒状の第２の成形面によって画定された仮想円筒の中心に沿って規定可能な長手方向軸線に対して実質的に平行に向けられている、態様（１８）記載の装置が提供される。
【００８５】
本開示の態様（２０）によれば、複数の通気性の第１の開口および複数の通気性の第２の開口の各開口の長さは、半円筒状の第１の成形面および半円筒状の第２の成形面によって画定された仮想円筒の中心に沿って規定可能な長手方向軸線に対して実質的に垂直に向けられている、態様（１８）記載の装置が提供される。
【００８６】
本開示の態様（２１）によれば、複数の通気性の第１の開口は、第１のフェースプレートまたはインサートに通気性の第１の開口の配列を含み、複数の通気性の第２の開口は、第２のフェースプレートまたはインサートに通気性の第２の開口の配列を含む、態様（１７）から（２０）までのいずれか１つ記載の装置が提供される。
【００８７】
本開示の態様（２２）によれば、複数の通気性の第１の開口および複数の通気性の第２の開口の各開口は、直角でない角を有するエッジによって画定されている、態様（１７）から（２１）までのいずれか１つ記載の装置が提供される。
【００８８】
本開示の態様（２３）によれば、大気圧未満の圧力条件を適用して、加熱されたパリソンまたはプリフォームを真空熱成形し、これにより、管状本体を成形する装置の使用において、各開口のエッジの直角でない角は、管状本体の長手方向軸線に対して非平行な最大長さ方向寸法と、０ｍｍ〜０．０２ｍｍの範囲の高さとを有する当たり確認特徴を提供するように構成されている、態様（１７）から（２２）までのいずれか１つ記載の装置が提供される。
【００８９】
本開示の態様（２４）によれば、態様（１４）から（２３）までのいずれか１つ記載の装置を使用してピペットを製造する方法が提供される。方法は、半円筒状の第１の成形面および半円筒状の第２の成形面によって画定された型内に、長手方向軸線と、空間を包囲する湾曲した内面とを有するパリソンまたはプリフォームを挿入するステップと、少なくとも１つの第１の真空チャネルおよび少なくとも１つの第２の真空チャネルに大気圧未満の圧力を加え、半円筒状の第１および第２の成形面に合致するようにパリソンまたはプリフォームを真空成形し、これにより、ピペットの中空管状本体を製造するステップと、を含む。
【００９０】
本開示の態様（２５）によれば、パリソンまたはプリフォームを成形するためにポリマーメルトを押出成形するステップをさらに含む、態様（２４）記載の方法が提供される。
【００９１】
態様（２６）によれば、ピペットの中空管状本体を真空成形するための装置が提供される。装置は、半円筒状の第１の成形面と、半円筒状の第１の成形面を貫通して延びる複数の第１の真空通路とを有する複数の第１の型本体セクションを含む第１の型本体であって、複数の第１の型本体セクションの各第１の型本体セクションは、複数の第１の型本体セクションの隣接する少なくとも１つの他の第１の型本体セクションと接触して配置されており、各第１の型本体セクションの一部は、複数の第１の真空通路のうちの異なる第１の真空通路によって、隣接する少なくとも１つの他の第１の型本体セクションから分離されている、第１の型本体と、半円筒状の第２の成形面と、半円筒状の第２の成形面を貫通して延びる複数の第２の真空通路とを有する複数の第２の型本体セクションを含む第２の型本体であって、複数の第２の型本体セクションの各第２の型本体セクションは、複数の第２の型本体セクションの隣接する少なくとも１つの他の第２の型本体セクションと接触して配置されており、各第２の型本体セクションの一部は、複数の第２の真空通路のうちの異なる第２の真空通路によって、隣接する少なくとも１つの他の第２の型本体セクションから分離されている、第２の型本体と、を有し、第２の型本体は、第１の型本体と協働して、半円筒状の第１の成形面と半円筒状の第２の成形面とが実質的に連続的な成形面を形成するように構成されており、複数の第１の真空通路の各第１の真空通路および複数の第２の真空通路の各第２の真空通路は、１５０μｍ以下の最大幅を有する。
【００９２】
本開示の態様（２７）によれば、複数の第１の真空通路の各第１の真空通路および複数の第２の真空通路の各第２の真空通路が、１０μｍ〜１００μｍの範囲の最大幅を有する、態様（２６）記載の装置が提供される。
【００９３】
本開示の態様（２８）によれば、複数の第１の真空通路の各第１の真空通路および複数の第２の真空通路の各第２の真空通路が、最大幅の少なくとも１０倍の最大長さを有する、態様（２６）または（２７）記載の装置が提供される。
【００９４】
本開示の態様（２９）によれば、複数の第１の型本体セクションの第１の型本体セクションが、第１の型本体を形成するために互いに接合されているまたは圧縮保持されており、複数の第２の型本体セクションの第２の型本体セクションが、第２の型本体を形成するために互いに接合されているまたは圧縮保持されている、態様（２６）から（２８）までのいずれか１つ記載の装置が提供される。
【００９５】
本開示の態様（３０）によれば、長手方向軸線が、半円筒状の第１の成形面および半円筒状の第２の成形面によって画定された仮想円筒の中心に沿って規定可能であり、複数の第１の型本体セクションの各第１の型本体セクションおよび複数の第２の型本体セクションの各第２の型本体セクションは、長手方向軸線に対して実質的に平行に向けられた長さを有し、複数の第１の真空通路の各第１の真空通路および複数の第２の真空通路の各第２の真空通路は、長手方向軸線に対して実質的に平行に延びかつ最大幅に対して実質的に垂直に延びる長さを有する、態様（２６）から（２９）までのいずれか１つ記載の装置が提供される。
【００９６】
本開示の態様（３１）によれば、長手方向軸線が、半円筒状の第１の成形面および半円筒状の第２の成形面によって画定された仮想円筒の中心に沿って規定可能であり、複数の第１の型本体セクションの各第１の型本体セクションおよび複数の第２の型本体セクションの各第２の型本体セクションは、長手方向軸線に対して実質的に垂直に向けられた長さを有し、複数の第１の真空通路の各第１の真空通路および複数の第２の真空通路の各第２の真空通路は、長手方向軸線に対して実質的に垂直に延びかつ最大幅に対して実質的に平行に延びる長さを有する、態様（２６）から（３０）までのいずれか１つ記載の装置が提供される。
【００９７】
本開示の態様（３２）によれば、態様（２６）から（３１）までのいずれか１つ記載の装置を使用してピペットを製造する方法が提供される。方法は、半円筒状の第１の成形面および半円筒状の第２の成形面によって画定された型内に、長手方向軸線と、空間を包囲する湾曲した内面とを有するパリソンまたはプリフォームを挿入するステップと、複数の第１の真空通路および複数の第２の真空通路に大気圧未満の圧力を加え、半円筒状の第１および第２の成形面に合致するようにパリソンまたはプリフォームを真空成形し、これにより、ピペットの中空管状本体を製造するステップと、を含む。
【００９８】
本開示の態様（３３）によれば、パリソンまたはプリフォームを成形するためにポリマーメルトを押出成形するステップをさらに含む、態様（３２）記載の方法が提供される。
【００９９】
開示の別の態様において、本明細書に開示されたあらゆる２つ以上の態様、実施形態または特徴が、付加的な利点のために組み合わされてもよいことが明確に想定される。
【０１００】
本明細書において使用されるとき、単数形「ａ」、「ａｎ」および「ｔｈｅ」は、文脈が明らかに別段の定めをしないかぎり、複数のそれを含む。すなわち、例えば、「切欠き」と言った場合、文脈が明らかに別段の定めをしないかぎり、２つ以上のこのような「切欠き」を有する例を含む。
【０１０１】
「含む」という用語は、包含するが限定されない、すなわち包括的かつ非排他的であることを意味する。
【０１０２】
「選択的な」または「選択的に」とは、その言葉の後に記載されたイベント、状況またはコンポーネントが生じることも、生じないこともでき、説明が、イベント、状況またはコンポーネントが生じる例およびそれらが生じない例を含むことを意味する。
【０１０３】
範囲は、本明細書において、「約」１つの特定の値からおよび／または「約」別の特定の値までとして表すことができる。このような範囲が表されるとき、例は、１つの特定の値からおよび／または他の特定の値までを含む。同様に、値が、「約」という先行詞の使用によって、近似値として表されるとき、特定の値が別の態様を形成することが理解されるであろう。各範囲の終点は、他方の終点に関しておよび他方の終点から独立して重要であることがさらに理解されるであろう。
【０１０４】
明示的に別段の定めがないかぎり、本明細書に示されたいずれの方法も、そのステップが特定の順序で行われることを必要とすると解されることは全く意図されていない。したがって、方法の請求項が、そのステップが従うべき順序を実際には列挙していない場合、またはステップが特定の順序に限定されるべきであることが請求項または詳細な説明において別段に特に述べられていない場合、あらゆる特定の順序が推定されることは全く意図されていない。あらゆる１つの請求項におけるあらゆる列挙された１つまたは複数の特徴または態様は、あらゆる他の請求項におけるあらゆる他の列挙された特徴または態様と組み合わせるまたは入れ替えることができる。
【０１０５】
本明細書における列挙は、特定の形式において機能するように「構成された」または「適応させられた」構成部材を意味することにも留意されたい。これに関して、このような構成部材は、特定の形式において特定の特性または機能を実現するように「構成されている」または「適応させられており」、このような列挙は、意図された使用の列挙とは反対に構造的な列挙である。より具体的には、構成部材が「構成された」または「適応させられた」形式への本明細書における言及は、構成部材の既存の物理的条件を意味し、これにより、構成部材の構造的特徴の明確な言及であると捉えられるべきである。
【０１０６】
特定の実施形態の様々な特徴、エレメントまたはステップが、「含む」という移行句を使用して開示されていることがあるが、「から成る」または「から基本的に成る」という移行句を使用して記載されることがあるものを含む代替的な実施形態が示唆されていることが理解されるべきである。
【０１０７】
開示の思想および範囲から逸脱することなく本発明の技術に対して様々な改良および変更をなすことができることが当業者に明らかになるであろう。発明的技術の思想および実質を組み込んだ、開示された実施形態の改良、組合せ、サブコンビネーションおよび変化態様が当業者に想起されることもあるので、発明的技術は、添付の請求項およびそれらの均等物の範囲内の全てを包含すると解すべきである。
【０１０８】
以下、本発明の好ましい実施形態を項分け記載する。
【０１０９】
実施形態１  
ピペットであって、
先端と吸口との間に配置されておりかつ前記先端と前記吸口との間に延びる長手方向軸線を有する管状本体を有し、
前記管状本体は、二軸配向された熱可塑性材料を含み、
前記管状本体は、０．５ｍｍ以下の公称厚さを有し、
前記管状本体の外面から突出しておりかつ前記長手方向軸線に対して非平行な最大長さ方向寸法を有する選択的に存在するあらゆる当たり確認特徴が、約０．０２ｍｍ以下の最大高さを有する、
ピペット。
【０１１０】
実施形態２  
前記管状本体の前記公称厚さは、約０．３５ｍｍ以下である、実施形態１記載のピペット。
【０１１１】
実施形態３  
前記管状本体の前記公称厚さは、約０．２５ｍｍ〜０．５ｍｍの範囲である、実施形態１記載のピペット。
【０１１２】
実施形態４  
前記ピペットは、前記管状本体の前記外面から突出する当たり確認特徴を有さない、実施形態１から３までのいずれか１つ記載のピペット。
【０１１３】
実施形態５  
前記管状本体の前記外面から突出しておりかつ前記長手方向軸線に対して非平行な最大長さ方向寸法を有する選択的に存在するあらゆる当たり確認特徴は、約０．０１ｍｍ以下の高さを有する、実施形態１から３までのいずれか１つ記載のピペット。
【０１１４】
実施形態６  
前記管状本体の前記外面は、前記管状本体の内部の部分の体積容量に対応する複数の目盛付きマークを有する、実施形態１から５までのいずれか１つ記載のピペット。
【０１１５】
実施形態７  
前記管状本体は、真空成形によって製造されている、実施形態１から６までのいずれか１つ記載のピペット。
【０１１６】
実施形態８  
ピペットであって、
先端と吸口との間に配置されておりかつ前記先端と前記吸口との間に延びる長手方向軸線を有する管状本体と、
前記管状本体の外面から突出した少なくとも３つの当たり確認特徴とを有し、該少なくとも３つの当たり確認特徴の各当たり確認特徴は、前記長手方向軸線に対して実質的に平行な最大長さ方向寸法を有し、前記少なくとも３つの当たり確認特徴の他の各当たり確認特徴から半径方向に離隔させられており、
前記管状本体は、二軸配向された熱可塑性材料を含む、
ピペット。
【０１１７】
実施形態９  
前記管状本体の公称厚さは、０．５ｍｍ以下である、実施形態８記載のピペット。
【０１１８】
実施形態１０  
前記管状本体の公称厚さは、約０．３５ｍｍ以下である、実施形態８または９記載のピペット。
【０１１９】
実施形態１１  
前記管状本体の公称厚さは、約０．２５ｍｍ〜０．５ｍｍの範囲である、実施形態８または９記載のピペット。
【０１２０】
実施形態１２  
前記管状本体の前記外面は、前記管状本体の内部の部分の体積容量に対応する複数の目盛付きマークを有する、実施形態８から１１までのいずれか１つ記載のピペット。
【０１２１】
実施形態１３  
前記管状本体は、真空成形によって成形されている、実施形態８から１２までのいずれか１つ記載のピペット。
【０１２２】
実施形態１４  
ピペットの中空管状本体を真空成形するための装置であって、該装置は、
少なくとも１つの第１の真空チャネルおよび少なくとも１つの第１の凹所を有する第１の型ブランクと、
少なくとも１つの第２の真空チャネルおよび少なくとも１つの第２の凹所を有する第２の型ブランクと、
前記少なくとも１つの第１の凹所によって収容され、前記少なくとも１つの第１の真空チャネルと流体連通した複数の通気性の第１の開口または気孔を有する半円筒状の第１の成形面を有する、第１のフェースプレートまたはインサートと、
前記少なくとも１つの第２の凹所によって収容され、前記少なくとも１つの第２の真空チャネルと流体連通した複数の通気性の第２の開口または気孔を有する半円筒状の第２の成形面を有する、第２のフェースプレートまたはインサートと、
を有し、
前記複数の通気性の第１の開口または気孔および前記複数の通気性の第２の開口または気孔の各開口または気孔は、１５０μｍ以下の最大幅または直径を有する、
装置。
【０１２３】
実施形態１５  
前記複数の通気性の第１の開口または気孔および前記複数の通気性の第２の開口または気孔の各開口または気孔は、１０μｍ〜１００μｍの範囲の最大幅または直径を有する、実施形態１４記載の装置。
【０１２４】
実施形態１６  
前記第１のフェースプレートまたはインサートおよび前記第２のフェースプレートまたはインサートは、焼結された多孔質材料を含み、
前記半円筒状の第１の成形面は、複数の通気性の第１の気孔を有し、
前記半円筒状の第２の成形面は、複数の通気性の第２の気孔を有する、実施形態１４または１５記載の装置。
【０１２５】
実施形態１７  
前記第１のフェースプレートまたはインサートおよび前記第２のフェースプレートまたはインサートは、非多孔質材料を含み、
前記半円筒状の第１の成形面は、複数の通気性の第１の開口を有し、該複数の通気性の第１の開口は、前記第１のフェースプレートまたはインサートの厚さ全体を貫通して延びており、
前記半円筒状の第２の成形面は、複数の通気性の第２の開口を有し、該複数の通気性の第２の開口は、前記第２のフェースプレートまたはインサートの厚さ全体を貫通して延びている、実施形態１４または１５記載の装置。
【０１２６】
実施形態１８  
前記複数の通気性の第１の開口および前記複数の通気性の第２の開口の各開口は、１５０μｍ以下の最大幅と、該最大幅の少なくとも１０倍の最大長さとを有する、実施形態１７記載の装置。
【０１２７】
実施形態１９  
前記複数の通気性の第１の開口および前記複数の通気性の第２の開口の各開口の長さは、前記半円筒状の第１の成形面および前記半円筒状の第２の成形面によって画定された仮想円筒の中心に沿って規定可能な長手方向軸線に対して実質的に平行に向けられている、実施形態１８記載の装置。
【０１２８】
実施形態２０  
前記複数の通気性の第１の開口および前記複数の通気性の第２の開口の各開口の長さは、前記半円筒状の第１の成形面および前記半円筒状の第２の成形面によって画定された仮想円筒の中心に沿って規定可能な長手方向軸線に対して実質的に垂直に向けられている、実施形態１８記載の装置。
【０１２９】
実施形態２１  
前記複数の通気性の第１の開口は、前記第１のフェースプレートまたはインサートに通気性の第１の開口の配列を含み、
前記複数の通気性の第２の開口は、前記第２のフェースプレートまたはインサートに通気性の第２の開口の配列を含む、実施形態１７から２０までのいずれか１つ記載の装置。
【０１３０】
実施形態２２  
前記複数の通気性の第１の開口および前記複数の通気性の第２の開口の各開口は、直角でない角を有するエッジによって画定されている、実施形態１７から２１までのいずれか１つ記載の装置。
【０１３１】
実施形態２３  
大気圧未満の圧力条件を適用して、加熱されたパリソンまたはプリフォームを真空熱成形し、これにより、前記管状本体を成形する装置の使用において、各開口のエッジの直角でない角は、前記管状本体の長手方向軸線に対して非平行な最大長さ方向寸法と、０ｍｍ〜０．０２ｍｍの範囲の高さとを有する当たり確認特徴を提供するように構成されている、実施形態１７から２２までのいずれか１つ記載の装置。
【０１３２】
実施形態２４  
実施形態１４から２３までのいずれか１つ記載の装置を使用してピペットを製造する方法であって、
半円筒状の第１の成形面および半円筒状の第２の成形面によって画定された型内に、長手方向軸線と、空間を包囲する湾曲した内面とを有するパリソンまたはプリフォームを挿入するステップと、
少なくとも１つの第１の真空チャネルおよび少なくとも１つの第２の真空チャネルに大気圧未満の圧力を加え、前記半円筒状の第１および第２の成形面に合致するように前記パリソンまたはプリフォームを真空成形し、これにより、前記ピペットの中空管状本体を製造するステップと、
を含む、方法。
【０１３３】
実施形態２５  
前記パリソンまたはプリフォームを成形するためにポリマーメルトを押出成形するステップをさらに含む、実施形態２４記載の方法。
【０１３４】
実施形態２６  
ピペットの中空管状本体を真空成形するための装置であって、該装置は、
半円筒状の第１の成形面と、該半円筒状の第１の成形面を貫通して延びる複数の第１の真空通路とを有する複数の第１の型本体セクションを含む第１の型本体であって、前記複数の第１の型本体セクションの各第１の型本体セクションは、前記複数の第１の型本体セクションの隣接する少なくとも１つの他の第１の型本体セクションと接触して配置されており、前記各第１の型本体セクションの一部は、前記複数の第１の真空通路のうちの異なる第１の真空通路によって、前記隣接する少なくとも１つの他の第１の型本体セクションから分離されている、第１の型本体と、
半円筒状の第２の成形面と、該半円筒状の第２の成形面を貫通して延びる複数の第２の真空通路とを有する複数の第２の型本体セクションを含む第２の型本体であって、前記複数の第２の型本体セクションの各第２の型本体セクションは、前記複数の第２の型本体セクションの隣接する少なくとも１つの他の第２の型本体セクションと接触して配置されており、前記各第２の型本体セクションの一部は、前記複数の第２の真空通路のうちの異なる第２の真空通路によって、前記隣接する少なくとも１つの他の第２の型本体セクションから分離されている、第２の型本体と、
を有し、
前記第２の型本体は、前記第１の型本体と協働して、前記半円筒状の第１の成形面と前記半円筒状の第２の成形面とが実質的に連続的な成形面を形成するように構成されており、
前記複数の第１の真空通路の各第１の真空通路および前記複数の第２の真空通路の各第２の真空通路は、１５０μｍ以下の最大幅を有する、
装置。
【０１３５】
実施形態２７  
前記複数の第１の真空通路の各第１の真空通路および前記複数の第２の真空通路の各第２の真空通路が、１０μｍ〜１００μｍの範囲の最大幅を有する、実施形態２６記載の装置。
【０１３６】
実施形態２８  
前記複数の第１の真空通路の各第１の真空通路および前記複数の第２の真空通路の各第２の真空通路が、最大幅の少なくとも１０倍の最大長さを有する、実施形態２６または２７記載の装置。
【０１３７】
実施形態２９  
前記複数の第１の型本体セクションの第１の型本体セクションが、前記第１の型本体を形成するために互いに接合されているまたは圧縮保持されており、
前記複数の第２の型本体セクションの第２の型本体セクションが、前記第２の型本体を形成するために互いに接合されているまたは圧縮保持されている、実施形態２６から２８までのいずれか１つ記載の装置。
【０１３８】
実施形態３０  
長手方向軸線が、前記半円筒状の第１の成形面および前記半円筒状の第２の成形面によって画定された仮想円筒の中心に沿って規定可能であり、
前記複数の第１の型本体セクションの各第１の型本体セクションおよび前記複数の第２の型本体セクションの各第２の型本体セクションは、前記長手方向軸線に対して実質的に平行に向けられた長さを有し、
前記複数の第１の真空通路の各第１の真空通路および前記複数の第２の真空通路の各第２の真空通路は、前記長手方向軸線に対して実質的に平行に延びかつ前記最大幅に対して実質的に垂直に延びる長さを有する、実施形態２６から２９までのいずれか１つ記載の装置。
【０１３９】
実施形態３１  
長手方向軸線が、前記半円筒状の第１の成形面および前記半円筒状の第２の成形面によって画定された仮想円筒の中心に沿って規定可能であり、
前記複数の第１の型本体セクションの各第１の型本体セクションおよび前記複数の第２の型本体セクションの各第２の型本体セクションは、前記長手方向軸線に対して実質的に垂直に向けられた長さを有し、
前記複数の第１の真空通路の各第１の真空通路および前記複数の第２の真空通路の各第２の真空通路は、前記長手方向軸線に対して実質的に垂直に延びかつ前記最大幅に対して実質的に平行に延びる長さを有する、実施形態２６から３０までのいずれか１つ記載の装置。
【０１４０】
実施形態３２  
実施形態２６から３１までのいずれか１つ記載の装置を使用してピペットを製造する方法であって、
半円筒状の第１の成形面および半円筒状の第２の成形面によって画定された型内に、長手方向軸線と、空間を包囲する湾曲した内面とを有するパリソンまたはプリフォームを挿入するステップと、
複数の第１の真空通路および複数の第２の真空通路に大気圧未満の圧力を加え、前記半円筒状の第１および第２の成形面に合致するように前記パリソンまたはプリフォームを真空成形し、これにより、前記ピペットの中空管状本体を製造するステップと、
を含む、方法。
【０１４１】
実施形態３３  
前記パリソンまたはプリフォームを成形するためにポリマーメルトを押出成形するステップをさらに含む、実施形態３２記載の方法。
【図１Ａ】
2021504124.tif 000003
【図１Ｂ】
2021504124.tif 000004
【図１Ｃ】
2021504124.tif 000005
【図１Ｄ】
2021504124.tif 000006
【図２Ａ】
2021504124.tif 000007
【図２Ｂ】
2021504124.tif 000008
【図３】
2021504124.tif 000009
【図４Ａ】
2021504124.tif 000010
【図４Ｂ】
2021504124.tif 000011
【図４Ｃ】
2021504124.tif 000012
【図５】
2021504124.tif 000013
【図６】
2021504124.tif 000014
【図７】
2021504124.tif 000015
【図８】
2021504124.tif 000016
【図９】
2021504124.tif 000017
【図１０】
2021504124.tif 000018
【図１１Ａ】
2021504124.tif 000019
【図１１Ｂ】
2021504124.tif 000020
【図１２Ａ】
2021504124.tif 000021
【図１２Ｂ】
2021504124.tif 000022
【図１２Ｃ】
2021504124.tif 000023
【図１３Ａ】
2021504124.tif 000024
【図１３Ｂ】
2021504124.tif 000025
【図１３Ｃ】
2021504124.tif 000026
【図１４Ａ】
2021504124.tif 000027
【図１４Ｂ】
2021504124.tif 000028
【図１５Ａ】
2021504124.tif 000029
【図１５Ｂ】
2021504124.tif 000030
【図１５Ｃ】
2021504124.tif 000031
【図１５Ｄ】
2021504124.tif 000032
【図１５Ｅ】
2021504124.tif 000033
【図１５Ｆ】
2021504124.tif 000034
【図１６】
2021504124.tif 000035
【図１７Ａ】
2021504124.tif 000036
【図１７Ｂ】
2021504124.tif 000037
【図１８Ａ】
2021504124.tif 000038
【図１８Ｂ】
2021504124.tif 000039
【図１８Ｃ】
2021504124.tif 000040
【図１８Ｄ】
2021504124.tif 000041
【図１８Ｅ】
2021504124.tif 000042
【図１８Ｆ】
2021504124.tif 000043
【図１９Ａ】
2021504124.tif 000044
【図１９Ｂ】
2021504124.tif 000045
【図１９Ｃ】
2021504124.tif 000046
【図２０Ａ】
2021504124.tif 000047
【図２０Ｂ】
2021504124.tif 000048
【図２０Ｃ】
2021504124.tif 000049
【図２１Ａ】
2021504124.tif 000050
【図２１Ｂ】
2021504124.tif 000051
【図２１Ｃ】
2021504124.tif 000052
【図２２Ａ】
2021504124.tif 000053
【図２２Ｂ】
2021504124.tif 000054
【図２３】
2021504124.tif 000055
【図２４Ａ】
2021504124.tif 000056
【図２４Ｂ】
2021504124.tif 000057
【図２５Ａ】
2021504124.tif 000058
【図２５Ｂ】
2021504124.tif 000059
【国際調査報告】
2021504124.tif 000060
2021504124.tif 000061
2021504124.tif 000062